(57)【要約】      （修正有）【課題】既存のロールペーパーホルダーの機能性を活かしつつ、複数の利用場所間を容易に搬送することができ、しかもフック金具類や吊り紐などを一切不要とし、簡便に吊り下げ設置可能となる新たなロールペーパー用のホルダー技術を提供する。【解決手段】対象ロールペーパーＲの左右端に対峙可能な間隔を隔てて対峙する左右腕壁３，３が、背壁４を介して一体化されたホルダー本体２を有し、左右腕壁３，３の互いに対峙する対峙側壁３０，３０の中央付近間に、対象ロールペーパーＲの回転の軸心を着脱および回転自在に支持可能なロールペーパー用装着機構を有する回転支軸が設けられ、ホルダー本体２の上壁適所に対して、対象ロールペーパーＲを保持したホルダー本体２を吊り下げ保持可能な強度を有する可塑性吊りハンドル８の基端が植設状に一体化されてなる。【選択図】図１
2019022618.tif 000002
【特許請求の範囲】
【請求項１】
回転の軸心が水平方向に向けられた対象ロールペーパーの左右端に対峙可能な間隔を隔てて対峙する左右腕壁が、対象ロールペーパーの引き出し口となる前壁を除く、天壁、背壁および底壁の少なくとも何れか一つを介して一体化されたホルダー本体を有し、該左右腕壁の互いに対峙する対峙側壁の中央付近間に、対象ロールペーパーの回転の軸心を着脱および回転自在に支持可能なロールペーパー用装着機構を有する回転支軸が設けられ、該ホルダー本体の上壁適所に対し、対象ロールペーパーを保持したホルダー本体を吊り下げ保持可能な強度を有する可塑性吊りハンドルの基端が植設状に一体化されてなるものとしたことを特徴とする可搬型ロールホルダー。
【請求項２】
回転の軸心が水平方向に向けられた対象ロールペーパーの左右端に対峙可能な間隔を隔てて対峙する左右腕壁が、対象ロールペーパーの引き出し口となる前壁を除く、天壁、背壁および底壁の少なくとも何れか一つを介して一体化されたホルダー本体を有し、該左右腕壁の互いに対峙する対峙側壁の中央付近間に、対象ロールペーパーの回転の軸心を着脱および回転自在に支持可能なロールペーパー用装着機構を有する回転支軸が設けられ、対象ロールペーパーが未装着の場合のホルダー本体の重心位置に対応する左右端、ないし、対象ロールペーパーが装着された場合のホルダー本体の重心位置に対応する左右端の前後間の適所に対応する該左右腕壁の各上壁に、棒状の左右独立型か、ループ状の左右一体型かの何れか一方とされた可塑性吊りハンドルの基端が夫々植設状に一体化されてなるものとしたことを特徴とする可搬型ロールホルダー。
【請求項３】
回転の軸心が水平方向に向けられた対象ロールペーパーの左右端に対峙可能な間隔を隔てて対峙する左右腕壁が、対象ロールペーパーの引き出し口となる前壁を除く、天壁、背壁および底壁の少なくとも何れか一つを介して一体化されたホルダー本体を有し、該左右腕壁の互いに対峙する対峙側壁の中央付近に、先端を下向き方向に付勢する弾性付勢部が設けられるか、または、自重によって先端が下向きに付勢されるかの少なくとも何れか一方とするよう、基端が水平軸心回りに回動自在に軸着され、上方向の入力を受けて直立方向に姿勢変形自在とされたロールペーパー用装着機構を有し、且つ、先端が下向きに倒れないよう規制する水平規制部を有して水平姿勢に片持ち支持され左右で一対となる片支持軸が設けられ、対象ロールペーパーが未装着の場合のホルダー本体の重心位置に対応する左右端、ないし、対象ロールペーパーが装着された場合のホルダー本体の重心位置に対応する左右端の前後間の適所に対応する該左右腕壁の各上壁に、棒状の左右独立型か、ループ状の左右一体型かの何れか一方とされた可塑性吊りハンドルの基端が夫々植設状に一体化されてなるものとしたことを特徴とする可搬型ロールホルダー。
【請求項４】
回転の軸心が水平方向に向けられた対象ロールペーパーの左右端に対峙可能な間隔を隔てて対峙する左右腕壁が、対象ロールペーパーの引き出し口となる前壁を除く、天壁、背壁および底壁の少なくとも何れか一つを介して一体化されたホルダー本体を有し、該左右腕壁の背後がわ上端間に対し、先端にカッター部が設けられた蓋状壁部の基端が、該蓋状壁部の先端を上下揺動自在とする基端軸装部を介して軸着され、該左右腕壁の互いに対峙する対峙側壁の中央付近に、先端を下向き方向に付勢する弾性付勢部が設けられるか、または、自重によって先端が下向きに付勢されるかの少なくとも何れか一方とするよう、基端が水平軸心回りに回動自在に軸着され、上方向の入力を受けて直立方向に姿勢変形自在とされたロールペーパー用装着機構を有し、且つ、先端が下向きに倒れないよう規制する水平規制部を有して水平姿勢に片持ち支持され左右で一対となる片支持軸が設けられ、対象ロールペーパーが未装着の場合のホルダー本体の重心位置に対応する左右端、ないし、対象ロールペーパーが装着された場合のホルダー本体の重心位置に対応する左右端の前後間の適所に対応する該左右腕壁の各上壁に、棒状の左右独立型か、ループ状の左右一体型かの何れか一方とされた可塑性吊りハンドルの基端が夫々植設状に一体化されてなるものとしたことを特徴とする可搬型ロールホルダー。
【請求項５】
蓋状壁部が、同蓋状壁部先端から庇状湾曲隔壁部を垂下し、該庇状湾曲隔壁部の下端縁から同左右幅のまま前方に屈曲され、鍔壁部を所定前後長分延伸された上、同鍔壁部先端縁から上方に向け同左右幅の立上壁部が立設され、該立上壁部の上端縁に軟質合成樹脂製の鋸刃状の上向きカッター部を有すると共に、当該庇状湾曲隔壁部には、対象ロールペーパーの軸長に略相当する左右幅長の対象ロールペーパー用繰出し窓が開口されてなるものとした、請求項４記載の可搬型ロールホルダー。
【請求項６】
蓋状壁部が、同蓋状壁部の天面に対し、該蓋状壁部の天面上に積層状に固着可能な接着層を介して着脱自在とされた追加型蓋状壁部を有し、該追加型蓋状壁部の先端から庇状湾曲隔壁部を垂下し、該庇状湾曲隔壁部の下端縁から同左右幅のまま前方に屈曲され、鍔壁部を所定前後長分延伸された上、同鍔壁部先端縁から上方に向け同左右幅の立上壁部が立設され、該立上壁部の上端縁に軟質合成樹脂製の鋸刃状の上向きカッター部を有すると共に、当該庇状湾曲隔壁部には、対象ロールペーパーの軸長に略相当する左右幅長の対象ロールペーパー用繰出し窓が開口された追加型カッターが、該追加型蓋状壁部の接着層を介して積層状に一体化されてなるものとした、請求項４記載の可搬型ロールホルダー。
【請求項７】
蓋状壁部が、同蓋状壁部先端から庇状湾曲隔壁部を垂下し、該庇状湾曲隔壁部の下端縁から同左右幅のまま前方に屈曲され、鍔壁部を所定前後長分延伸された上、同鍔壁部先端縁から上方に向け同左右幅の立上壁部が立設され、該立上壁部の上端縁に、軟質合成樹脂製の鋸刃状の上向きカッター部を有すると共に、当該庇状湾曲隔壁部ないし上向きカッター部の少なくとも一部適所に、上向きカッター部に過大荷重が加わった場合に自動的に退避し、過大荷重が無くなると再び元の姿勢に復帰可能な可撓機構が設けられ、当該庇状湾曲隔壁部には、対象ロールペーパーの軸長に略相当する左右幅長の対象ロールペーパー用繰出し窓が開口されてなるものとした、請求項４記載の可搬型ロールホルダー。
【請求項８】
蓋状壁部が、同蓋状壁部の天面に対し、該蓋状壁部の天面上に積層状に固着可能な接着層を介して着脱自在とされた追加型蓋状壁部を有し、該追加型蓋状壁部の先端から庇状湾曲隔壁部を垂下し、該庇状湾曲隔壁部の下端縁から同左右幅のまま前方に屈曲され、鍔壁部を所定前後長分延伸された上、同鍔壁部先端縁から上方に向け同左右幅の立上壁部が立設され、該立上壁部の上端縁に、軟質合成樹脂製の鋸刃状の上向きカッター部を有すると共に、当該庇状湾曲隔壁部ないし上向きカッター部の少なくとも一部適所に、上向きカッター部に過大荷重が加わった場合に自動的に退避し、過大荷重が無くなると再び元の姿勢に復帰可能な可撓機構が設けられ、当該庇状湾曲隔壁部には、対象ロールペーパーの軸長に略相当する左右幅長の対象ロールペーパー用繰出し窓が開口されてなる追加型カッターが、該追加型蓋状壁部の接着層を介して積層状に一体化されてなるものとした、請求項４記載の可搬型ロールホルダー。
【請求項９】
蓋状壁部か、追加型カッターが追加されたものの場合には追加型カッターかの何れか一方の庇状湾曲隔壁部の下端縁と上向きカッター部との間に設けられた鍔壁部の天面形状が、左右方向概略Ｕ字形の水平樋状に湾曲され、繰出し窓から上向きカッター部に掛けて残存される対象ロールペーパーの操り出し残端部の把持スペースの確保用となる手指挿入用凹部とされてなるものとした、請求項５ないし８何れか一記載の可搬型ロールホルダー。
【請求項１０】
可塑性吊りハンドルが、人の手による入力によって容易に変形可能な可塑性金属線製の軸体に軟質合成樹脂製の皮膜層が被覆され、棒状の左右独立型とされたものの場合には、該軸体の先端に保護キャップが装着されてなるものとした、請求項１ないし９何れか一記載の可搬型ロールホルダー。
【発明の詳細な説明】
【技術分野】
【０００１】
この発明は、ロール型シート状製品を保持するロールホルダーに関連するものであって、特に、容易に持ち運び、適所に簡便に設置可能なものとされたロールホルダーを製造、提供する分野は勿論のこと、その輸送、保管、組み立ておよび設置に必要となる設備、器具類を提供、販売する分野から、それら資材や機械装置、部品類に必要となる素材、例えば、木材、石材、各種繊維類、プラスチック、各種金属材料等を提供する分野、それらに組み込まれる電子部品やそれらを集積した制御関連機器の分野、各種計測器の分野、当該設備、器具を動かす動力機械の分野、そのエネルギーとなる電力やエネルギー源である電気、オイルの分野といった一般的に産業機械と総称されている分野、更には、それら設備、器具類を試験、研究したり、それらの展示、販売、輸出入に係わる分野、将又、それらの使用の結果やそれを造るための設備、器具類の運転に伴って発生するゴミ屑の回収、運搬等に係わる分野、それらゴミ屑を効率的に再利用するリサイクル分野などの外、現時点で想定できない新たな分野までと、関連しない技術分野はない程である。                                  
【背景技術】
【０００２】
（着目点）
一般的なロールホルダーは、例えば、図１３に示すように、建築物室内の壁面適所に木ネジなどで完全に固着された状態に設置可能とされた背壁Ａ０の左右端から左右腕壁Ａ１，Ａ１が夫々前方に突出するよう延伸されてなるホルダー本体Ａかなり、該左右腕壁Ａ１，Ａ１間に、対象ロールペーパーＲの筒状芯部分を水平状且つ回転自在に軸支可能な装着軸Ａ２と、同装着軸Ａ２に装着した対象ロールペーパーＲの上がわを開閉自在に覆うよう、該ホルダー本体Ａに基端Ｂ０が軸着された曲面板状体であって、その遊端縁Ｂ１に、引き出した対象ロールペーパーＲの中途部分を裁断可能なカッター部Ｂ２が形成されてなる上蓋Ｂとを有するようにしたものであり、利用に際しては、該上蓋Ｂで対象ロールペーパーＲの外周面を上方から下向きに抑え込み、同上蓋Ｂのカッター部Ｂ２を境に、対象ロールペーパーＲの引き出した部分Ｒ０を引き上げるようにして裁断する構造のものが殆どであった。
【０００３】
こうした一般的なロールホルダーＡは、例えば、トイレで使用されるトイレットペーパーＲを保持するものは、トイレ室内の利用し易い高さの壁面適所に固着されるものとなっていて、設置場所から工具を使用すること無く、それ以外の場所へ移動および設置するのが困難なものとなっており、例えば、トイレットペーパーＲをティッシュペーパーなどのように、リビングルームや病院の病室内などで利用しようとした場合には、対象ロールペーパーＲの筒状軸心に紐や針金などを通して吊り下げたりして利用せざるを得ず、見栄えが悪いだけでなく、対象ロールペーパーＲを引き出して裁断する際に、カッターが無いため、両手で掴んで引き千切るようにしなければ裁断できず、対象ロールペーパーＲの破断端も見栄えが悪くなってしまうという欠点があった。
【０００４】
（従来の技術）
こうした状況を反映し、その打開策となるような提案も、これまでに散見されない訳ではない。
例えば、下記の特許文献１（１）に提案されているものに代表されるように、基台の上面に一方向に起伏自在で、かつ伸縮自在のポールが取付けられ、該ポール取付け位置の近くに設けられた球面軸受けによって支え棒が基台上面の全方向に旋回可能に配置され、ポールの起立状態で巻取りロール体を支持すると共に、支え棒の先端を巻取りロールの表面に接触させて切取端の剥離や垂れ下がりを防止し、ポールの上端近くには吊り下げ用フックまたはSカンの挿通孔が設けられ、基台の裏面に、磁石が固着されたことで金属製厨房台や家具類への設置を容易にし、また、不使用時には、ポールと支え棒とを同方向に倒すことによりホルダー全体を薄形に折り畳んで収納し易いものとした巻取りロール体のホルダーがある。
【０００５】
また、同特許文献１（２）に見られるような、ロールペーパーを、芯を横にして回転自在に保持するホルダー部材と、このホルダー部材を支持する支持部材とから形成され、この支持部材が、設置用のベース部と、このベース部から立ち上げる起立部とから形成され、この起立部に、上記のホルダー部材を設けた上、該ホルダー部材の左右上側部間には、持ち運び用の取っ手が掛け渡し状に設けられてなる卓上用ロールペーパーホルダーや、同特許文献１（３）に示されているような、厚紙などの板材に切り込みを入れたものであって、ロールペーパーの中空軸の両端に挿入してこれを保持するための先端部が相互に対向したＬ字形および逆Ｌ字形の一対の保持部と、埃よけを兼ね、下縁がペッパー切断部となり、頂辺に吊り仕上げ辺を備えた前面板と、同じく埃よけ用の背面板とより成り、各部片が、相互に相補形をなすと共に、夫々の頂辺が互いに接続した一体のものとしてなり、折り目から折り曲げられると、背面板、前面板、および左右Ｌ字形保持部が現れ、該前面板の左右間頂部に、吊下げ片が突起するものとされてなるロールペーパーホルダーなどが散見される。
【０００６】
しかし、前者特許文献１（１）に示されているような巻取りロール体のホルダーなどは、ロールペーパーから繰り出された端部がわを綺麗に切断するためのカッターを備えておらず、また、ロールペーパーを切断する際には、一方の手でロールペーパーの回転を止めたり、残そうとするがわのロールペーパーを確実に把持するなどして、切断する端部がわを他方の手で引き裂くように操作しなければならず、さらに、該ホルダーを持ち運ぶ際には、取っ手部分が無く、不便である上、適所に吊り下げて使用する場合には、ルックやＳカン、その他の吊り金具類や吊り紐類を必須とするもので不便なものであったし、また、特許文献１（２）の卓上用ロールペーパーホルダーなどは、持ち運んで机上などに立てて利用するのに非常に便利なものであるが、例えば、病院のベッドや介護用のポータブルトイレなどのように、トイレットペーパーなどを据え置く場所を確保出来ない場合などには、取り付けるのが難しく、例えば、取っ手部分をフックなどに吊して設置する場合には、取っ手が硬質素材製のもののため、左右のバランスを保つのが難しく、左右何れか一方に傾いた状態に吊り下がり、ロールペーパーの引き出し操作がし難くなってしまうことが懸念されるものとであり、また、取っ手部分などを紐などで縛り着けた場合には、不用意に紐が解けてしまい、落下してしまう虞がある上、持ち運びの毎に紐を解かなければ取り外しできないなど利便性に欠けるものであり、そして、特許文献１（３）に代表するロールペーパーホルダーなども、所望の位置に吊り下げて利用する場合には、吊り下げ対象となる箇所にフックを取り付けたり、紐などで結び付けたりしなければならず、やはり実用性には欠けていた。                                                                              
【特許文献１】（１）特開２００５−２７０２５４号公報    （２）実用新案登録第３１５７４７１号公報    （３）実公平２−２３１９７号公報
【発明の概要】
【発明が解決しようとする課題】
【０００７】
（問題意識）
上述したとおり、従前までに提案のある各種ロールペーパーホルダー類は、何れも病院のベッドや介護用のポータブルトイレなどのように、トイレットペーパーなどを据え置く場所を確保出来ない場所などに簡易的に設置したり、利用者の移動に伴って簡便に設置場所を移動したりするのが難しく、対象ロールペーパーの必要となる場所毎に、ロールペーパー用のホルダーを個別に設置したり、予め各利用場所毎にフックなどを設けて置き、持ち運んだロールペーパー用のホルダーをフックなどに吊り下げて利用できるようにしたり、ロールペーパー用のホルダーの括り紐を設け、持ち運んだ先の適所に該括り紐で括り付けて吊り下げ、利用可能なものとするなどの工夫が必要になり、前述のように設置箇所毎にロールペーパー用のホルダーを個別に準備するのは経済的負担が大きく、ロールペーパーの管理が煩雑なものとなり、また、設置箇所毎にフックを設けるのも経済的負担が大きく、ロールペーパー用のホルダーに括り紐を設けるものは、紐が不用意に解けないように結ぶのに手間が掛かり、また、きつく縛った紐を解くのにも手間が掛かるなどといった利便性の面で大いに課題を残すものとなっており、運搬と移動および設置を容易にする構造について、更に改善された新たなロールペーパー用のホルダーの開発の可能性を痛感するに至ったものである。
【０００８】
（発明の目的）
そこで、この発明は、既存のロールペーパーホルダーの機能性を活かしつつ、複数の利用場所間を容易に搬送することができ、しかもフック金具類や吊り紐などを一切不要とし、簡便に吊り下げ設置可能となる新たなロールペーパー用のホルダー技術の開発はできないものかとの判断から、逸速くその開発、研究に着手し、長期に渡る試行錯誤と幾多の試作、実験とを繰り返してきた結果、今回、遂に新規な構造の可搬型ロールホルダーを実現化することに成功したものであり、以下では、図面に示すこの発明を代表する実施例と共に、その構成を詳述することとする。                                                              
【課題を解決するための手段】
【０００９】
（発明の構成）
図面に示すこの発明を代表する実施例からも明確に理解されるように、この発明の可搬型ロールホルダーは、基本的に次のような構成から成り立っている。
即ち、回転の軸心が水平方向に向けられた対象ロールペーパーの左右端に対峙可能な間隔を隔てて対峙する左右腕壁が、対象ロールペーパーの引き出し口となる前壁を除く天壁、背壁および底壁の少なくとも何れか一つを介して一体化されたホルダー本体を有し、該左右腕壁の互いに対峙する対峙側壁の中央付近間に、対象ロールペーパーの回転の軸心を着脱および回転自在に支持可能なロールペーパー用装着機構を有する回転支軸が設けられ、該ホルダー本体の上壁適所に対し、対象ロールペーパーを保持したホルダー本体を吊り下げ保持可能な強度を有する可塑性吊りハンドルの基端が一体化されてなるものとした構成を要旨とする可搬型ロールホルダーである。
【００１０】
この基本的な構成からなる可搬型ロールホルダーは、より具体的なものとして示すと、回転の軸心が水平方向に向けられた対象ロールペーパーの左右端に対峙可能な間隔を隔てて対峙する左右腕壁が、対象ロールペーパーの引き出し口となる前壁を除く天壁、背壁および底壁の少なくとも何れか一つを介して一体化されたホルダー本体を有し、該左右腕壁の互いに対峙する対峙側壁の中央付近間に、対象ロールペーパーの回転の軸心を着脱および回転自在に支持可能なロールペーパー用装着機構を有する回転支軸が設けられ、対象ロールペーパーが未装着の場合のホルダー本体の重心位置に対応する左右端、ないし、対象ロールペーパーが装着された場合のホルダー本体の重心位置に対応する左右端の前後間の適所に対応する該左右腕壁の各上壁に、棒状の左右独立型か、ループ状の左右一体型かの何れか一方とされた可塑性吊りハンドルの基端が、夫々植設状に一体化されてなるものとした構成からなる可搬型ロールホルダーとなる。
【００１１】
さらに具体的なものとして示すならば、回転の軸心が水平方向に向けられた対象ロールペーパーの左右端に対峙可能な間隔を隔てて対峙する左右腕壁が、対象ロールペーパーの引き出し口となる前壁を除く、天壁、背壁および底壁の少なくとも何れか一つを介して一体化されたホルダー本体を有し、該左右腕壁の互いに対峙する対峙側壁の中央付近に、先端を下向き方向に付勢する弾性付勢部が設けられるか、または、自重によって先端が下向きに付勢されるかの少なくとも何れか一方とするよう、基端が水平軸心回りに回動自在に軸着され、上方向の入力を受けて直立方向に姿勢変形自在とされたロールペーパー用装着機構を有し、且つ、先端が下向きに倒れないよう規制する水平規制部を有して水平姿勢に片持ち支持され左右で一対となる片支持軸が設けられ、対象ロールペーパーが未装着の場合のホルダー本体の重心位置に対応する左右端、ないし、対象ロールペーパーが装着された場合のホルダー本体の重心位置に対応する左右端の前後間の適所に対応する該左右腕壁の各上壁に、棒状の左右独立型か、ループ状の左右一体型かの何れか一方とされた可塑性吊りハンドルの基端が夫々植設状に一体化されてなるものとした構成からなる可搬型ロールホルダーとなる。
【００１２】
この基本的な構成からなる可搬型ロールホルダーは、その表現を変えて示すと、回転の軸心が水平方向に向けられた対象ロールペーパーの左右端に対峙可能な間隔を隔てて対峙する左右腕壁が、対象ロールペーパーの引き出し口となる前壁を除く、天壁、背壁および底壁の少なくとも何れか一つを介して一体化されたホルダー本体を有し、該左右腕壁の背後がわ上端間に対し、先端にカッター部が設けられた蓋状壁部の基端が、該蓋状壁部の先端を上下揺動自在とする基端軸装部を介して軸着され、該左右腕壁の互いに対峙する対峙側壁の中央付近に、先端を下向き方向に付勢する弾性付勢部が設けられるか、または、自重によって先端が下向きに付勢されるかの少なくとも何れか一方とするよう、基端が水平軸心回りに回動自在に軸着され、上方向の入力を受けて直立方向に姿勢変形自在とされたロールペーパー用装着機構を有し、且つ、先端が下向きに倒れないよう規制する水平規制部を有して水平姿勢に片持ち支持され左右で一対となる片支持軸が設けられ、対象ロールペーパーが未装着の場合のホルダー本体の重心位置に対応する左右端、ないし、対象ロールペーパーが装着された場合のホルダー本体の重心位置に対応する左右端の前後間の適所に対応する該左右腕壁の各上壁に、棒状の左右独立型か、ループ状の左右一体型かの何れか一方とされた可塑性吊りハンドルの基端が夫々植設状に一体化されてなるものとした構成からなる可搬型ロールホルダーとなる。                                                                  
【発明の効果】
【００１３】
以上のとおり、この発明の可搬型ロールホルダーによれば、従前までのものとは違い、上記したとおりの固有の特徴ある構成から、可塑性吊りハンドルを把持して手に提げ、容易に運搬、移動することができる上、可塑性吊りハンドルを変形するよう操作し、所望の形状に塑性変形することによって、従前までであれば、所望の位置に設置するのに、載置するためのテーブル類を必要としたり、吊り下げ用のフック金具類や吊り紐などを要するものであったが、載置用のテーブルなどを必要とせず、また、吊り下げ用の別部品類も要さずに、収納家具の取っ手部分や、ベッドサイドの転落防止用フェンスの適所など、様々な箇所に簡便に吊り下げて利用することができるものとなり、特に、棒状の左右独立型の可塑性吊りハンドルの場合には、互いの先端がわを折り重ねるように折曲すると、手提げ用のハンドルとなり、該左右独立型の棒状可塑性吊りハンドルを、家具類の適所に巻き付けたり、鈎状に折曲して吊り下げたりすることが可能となり、また、ループ状の左右一体型の可塑性吊りハンドルの場合には、そのまま既存のフック状金具類に吊り下げたり、ループ形状のホルダー本体から最も離れたがわとなる範囲を下向きに折り曲げるなどして、家具のフレームなどに吊り下げて設置したりすることができるようになるという秀でた特徴が得られるものである。
【００１４】
加えて、可塑性吊りハンドルが、対象ロールペーパーが未装着の場合のホルダー本体の重心位置に対応する左右端、ないし、対象ロールペーパーが装着された場合のホルダー本体の重心位置に対応する左右端の前後間の適所に対応する該左右腕壁の各上壁に、植設状に一体化されてなるものとすることにより、対象ロールペーパーの装着、未装着に拘わらず、何れの状態にあっても、可塑性吊りハンドルを把持して手に提げると、ホルダー本体が大きく傾くことなく安定した姿勢のまま持ち運ぶことができ、しかも可塑性吊りハンドルを塑性変形させるなどして、適所に吊り下げ設置する場合にも、背壁の保持など考慮せずとも、正常姿勢を自動的に保持するものとなるから、特に、ロールペーパー用装着機構を有する左右一対となる片支持軸が設けられたものによれば、対象ロールペーパーの装着操作を片手で簡単に行うことができ、可塑性吊りハンドルによる吊り下げ保持のバランスの良さによって、対象ロールペーパーの回転、繰り出し操作も片手で簡便に行うことができるものになるという効果を奏する。
【００１５】
そして、蓋状壁部が、同蓋状壁部先端から庇状湾曲隔壁部を垂下し、該庇状湾曲隔壁部の下端縁から同左右幅のまま前方に屈曲され、鍔壁部を所定前後長分延伸された上、同鍔壁部先端縁から上方に向け同左右幅の立上壁部が立設され、該立上壁部の上端縁に、軟質合成樹脂製の鋸刃状の上向きカッター部を有すると共に、当該庇状湾曲隔壁部には、対象ロールペーパーの軸長に略相当する左右幅長の対象ロールペーパー用繰出し窓が開口されてなるものや、同様の形状の追加型カッターが装着されたものによれば、対象ロールペーパーの引き出し操作、および、裁断操作まで全て片手で行うことができるようになり、健常者は勿論のこと、怪我や身体に障害をもつ利用者にも簡単に利用できるものになるという利点が得られる。
【００１６】
さらに、庇状湾曲隔壁部、鍔壁部および上向きカッター部を有する蓋状壁部の、該庇状湾曲隔壁部ないし上向きカッター部の少なくとも一部適所に、可撓機構が設けられたもの、または、可撓機構が設けられた追加型カッターが装着されたものによれば、この発明の可搬型ロールホルダーを利用中に、不用意に上向きカッター部に強い力で接触してしまった場合にも、上向きカッター部が自動的に退避するから、利用者の安全性を格段に高めることができる上、蓋状壁部および追加型カッターの破損をより確実に防止することができるものになる。
【００１７】
また、蓋状壁部、または、追加型カッターが追加されたものの場合には追加型カッターの何れか一方の鍔壁部の天面形状が、左右方向概略Ｕ字形の水平樋状に湾曲され、手指挿入用凹部とされたものは、繰出し窓から繰り出した対象ロールペーパーの繰り出した中途適所部分（裁断目標箇所）を上向きカッター部に押し当てるように、繰り出し端部がわを引き下げるように操作して裁断すると、該繰出し窓から上向きカッター部に掛けて対象ロールペーパーの操り出し残端部が掛け渡し状に残ることとなり、次回使用する際には、
繰出し窓から上向きカッター部に掛けて掛け渡し状に残された対象ロールペーパーの操り出し残端部を、該手指挿入用凹部上に手指を挿入して、より簡単、確実に掴む事ができるものとなり、可搬型ロールホルダーの使い勝手を一段と高めたものとすることができる。
【００１８】
可塑性吊りハンドルが、人の手による入力によって容易に変形可能な可塑性金属線製の軸体に軟質合成樹脂製の皮膜層が被覆され、棒状の左右独立型とされたものの場合には、該軸体の先端に保護キャップが装着されてなるものとすることにより、可塑性吊りハンドルの構造を簡素化し、より軽量且つ経済的に製造可能とし、保護キャップが、軸体の端部が外部に露出するのを防止し、他物などへの接触の緩衝や引っ掛かりを防止し、より安全性に優れたものとすることができる。                                                                  
【発明を実施するための最良の形態】
【００１９】
上記したとおりの構成からなる、この発明の実施に際し、その最良もしくは望ましい形態について説明を加えることにする。
ホルダー本体は、この発明の可搬型ロールホルダーの本体となり、回転の軸心が水平方向に向けられた対象ロールペーパーの左右端に対峙可能な間隔を隔てて左右腕壁を対峙するよう保持可能とする機能を担い、該ホルダー本体の上壁適所に対して、対象ロールペーパーを保持したホルダー本体を吊り下げ保持可能な強度を有する可塑性吊りハンドルの基端が一体化されてなるものとしなければならず、左右腕壁が、対象ロールペーパーの引き出し口となる前壁を除く、天壁、背壁および底壁の少なくとも何れか一つを介して一体化されたものとすべきであり、該左右腕壁の背後がわ上端間に対して、先端にカッター部が設けられた蓋状壁部の基端が、該蓋状壁部の先端を上下揺動自在とする基端軸装部を介して軸着されたものとするのが良い。
【００２０】
左右腕壁は、ホルダー本体に対して対象ロールペーパーの回転の軸心を着脱および回転自在に支持可能とすると共に、同ホルダー本体に対して可塑性吊りハンドルを一体化可能とする機能を担うものであり、回転の軸心が水平方向に向けられた対象ロールペーパーの左右端に対峙可能な間隔を隔てて対峙するよう、互いに対峙する対峙側壁の中央付近間に、対象ロールペーパーの回転の軸心を着脱および回転自在に支持可能なロールペーパー用装着機構を有する回転支軸が設けられたものとし、上壁適所に対して、対象ロールペーパーを保持したホルダー本体を吊り下げ保持可能な強度を有する可塑性吊りハンドルの基端が一体化されてなるものとしなければならず、対象ロールペーパーの引き出し口となる前壁を除く、天壁、背壁および底壁の少なくとも何れか一つを介して一体化されたものとすべきであり、該左右腕壁の背後がわ上端間に対して、先端にカッター部が設けられた蓋状壁部の基端が、該蓋状壁部の先端を上下揺動自在とする基端軸装部を介して軸着されたものとするのが良い。
【００２１】
背壁は、回転の軸心が水平方向に向けられた対象ロールペーパーの左右端に対峙可能な間隔を隔てて対峙する左右腕壁を一体化し、ホルダー本体となるよう連結する機能を担っており、対象ロールペーパーを安全に保持可能とする充分な強度をもって左右腕壁を一体に連結可能なものとしなければならず、必要に応じて建築物の壁面などへの取付けネジ装着用となる複数の取付け孔が厚み方向に貫通するよう穿設されたものとすることが可能であり、壁板形状の外、連結棒や連結枠、連結柵などの様々な形状のものとすることが可能である。
【００２２】
回転支軸は、左右腕壁間に対して回転の軸心が水平方向に向けられた対象ロールペーパーを、回転自在且つ着脱自在に装着可能とする機能を担い、ロールペーパー用装着機構を有するものとしなければならず、例えば、左右腕壁の対峙側壁の中央付近に凹欠状の軸受け穴が設けられ、該左右一対の軸受け穴間に、水平軸心方向の中途部に弾性的に圧縮可能な圧縮バネが同心上に内蔵され、軸方向に向けて弾性的に延伸する伸縮軸が、左右間弾性突っ張り状、着脱自在に装着された回転支軸とされ、対象ロールペーパーの円筒空洞状の軸心に装着され、該対象ロールペーパーを、左右腕壁間に対して回転自在、着脱自在に装着可能なものとすることができる外、後述する実施例にも示すように、左右腕壁の互いに対峙する対峙側壁の中央付近に、先端を下向き方向に付勢する弾性付勢部が設けられるか、または、自重によって先端が下向きに付勢されるかの少なくとも何れか一方とするよう、基端が水平軸心回りに回動自在に軸着され、上方向の入力を受けて直立方向に姿勢変形自在とされたロールペーパー用装着機構を有し、且つ、先端が下向きに倒れないよう規制する水平規制部を有して水平姿勢に片持ち支持され左右で一対となる片支持軸が設けられたものとすることができる。
【００２３】
蓋状壁部は、ホルダー本体の左右腕壁間に、回転の軸心が水平方向に向けられた姿勢に回転自在に保持された対象ロールペーパーの上部を保護するよう覆い、対象ロールペーパーから繰り出した先端がわ操る出し部分の中途適所を、裁断可能なカッター部を所望位置に所望姿勢を維持するよう一体的に支持する機能を担うものであり、該左右腕壁の背後がわ上端間に対して、先端にカッター部が設けられた該蓋状壁部の基端が、同蓋状壁部の先端を上下揺動自在とする基端軸装部を介して軸着されたものとしなければならず、後述する実施例にも示しているとおり、蓋状壁部先端から庇状湾曲隔壁部を垂下し、該庇状湾曲隔壁部の下端縁から同左右幅のまま前方に屈曲され、鍔壁部を所定前後長分延伸された上、同鍔壁部先端縁から上方に向け同左右幅の立上壁部が立設され、該立上壁部の上端縁に、軟質合成樹脂製の鋸刃状の上向きカッター部を有すると共に、当該庇状湾曲隔壁部には、対象ロールペーパーの軸長に略相当する左右幅長の対象ロールペーパー用繰出し窓が開口されてなる物とするのが望ましく、また、蓋状壁部の天面に対し、該蓋状壁部の天面上に積層状に固着可能な接着層を介して着脱自在とされた追加型蓋状壁部を有し、該追加型蓋状壁部の先端から庇状湾曲隔壁部を垂下し、該庇状湾曲隔壁部の下端縁から同左右幅のまま前方に屈曲され、鍔壁部を所定前後長分延伸された上、同鍔壁部先端縁から上方に向け同左右幅の立上壁部が立設され、該立上壁部の上端縁に、軟質合成樹脂製の鋸刃状の上向きカッター部を有すると共に、当該庇状湾曲隔壁部には、対象ロールペーパーの軸長に略相当する左右幅長の対象ロールペーパー用繰出し窓が開口されてなる追加型カッターが、該追加型蓋状壁部の接着層を介して積層状に一体化されてなるものとすることが可能である。
【００２４】
追加型蓋状壁部の接着層は、ホルダー本体の蓋状壁部に対して追加型カッターを積層状に一体化可能とする機能を担うものであり、追加型カッターの追加型蓋状壁部の下面に片面を装着された両面粘着テープや、接着剤層に剥離紙を外装状に装着してなるものなどとするのが良く、また、追加型蓋状壁部の下面適所に対して後付け可能な、別部品として添付された両面粘着テープ部品や、チューブ入り接着剤などとすることが可能である。
【００２５】
そして、後述する実施例にも示してあるように、蓋状壁部は、同蓋状壁部先端から庇状湾曲隔壁部を垂下し、該庇状湾曲隔壁部の下端縁から同左右幅のまま前方に屈曲され、鍔壁部を所定前後長分延伸された上、同鍔壁部先端縁から上方に向け同左右幅の立上壁部が立設され、該立上壁部の上端縁に、軟質合成樹脂製の鋸刃状の上向きカッター部を有すると共に、当該庇状湾曲隔壁部ないし上向きカッター部の少なくとも一部適所に、上向きカッター部に、過大荷重が加わった場合に自動的に退避し、過大荷重が無くなると再び元の姿勢に復帰可能な可撓機構が設けられ、当該庇状湾曲隔壁部には、対象ロールペーパーの軸長に略相当する左右幅長の対象ロールペーパー用繰出し窓が開口されてなるものとすることができ、さらにまた、蓋状壁部の天面に対し、該蓋状壁部の天面上に積層状に固着可能な接着層を介して着脱自在とされた追加型蓋状壁部を有し、該追加型蓋状壁部の先端から庇状湾曲隔壁部を垂下し、該庇状湾曲隔壁部の下端縁から同左右幅のまま前方に屈曲され、鍔壁部を所定前後長分延伸された上、同鍔壁部先端縁から上方に向け同左右幅の立上壁部が立設され、該立上壁部の上端縁に、軟質合成樹脂製の鋸刃状の上向きカッター部を有すると共に、当該庇状湾曲隔壁部ないし上向きカッター部の少なくとも一部適所に、上向きカッター部に、過大荷重が加わった場合に自動的に退避し、過大荷重が無くなると再び元の姿勢に復帰可能な可撓機構が設けられ、当該庇状湾曲隔壁部には、対象ロールペーパーの軸長に略相当する左右幅長の対象ロールペーパー用繰出し窓が開口されてなる追加型カッターが、該追加型蓋状壁部の接着層を介して積層状に一体化されてなるものとすることができる。
【００２６】
加えて、後述する実施例にも示しているが、蓋状壁部、または、追加型カッターの何れか一方の、庇状湾曲隔壁部の下端縁と、上向きカッター部との間に設けられた鍔壁部の天面形状が、左右方向概略Ｕ字形の水平樋状に湾曲され、繰出し窓から上向きカッター部に掛けて残存される対象ロールペーパーの操り出し残端部の把持スペースの確保用となる手指挿入用凹部とされたものとしてなるものとするのが良い。
【００２７】
追加型カッターの庇状湾曲隔壁部は、蓋状壁部の天面上からそのまま前方に延伸し、蓋状壁部の先端を超えた辺りで下方に湾曲して下方所定位置、望ましくは対象ロールペーパー用の回転支軸（片支持軸）の高さ位置辺りまで垂れ下がり状となって蓋状壁部の天面上から前方にかけて庇状に覆い被さり、該回転支軸（片支持軸）に装着された対象ロールペーパーの残部端がわを隠す形状とされており、対象ロールペーパー残部端がわを上向きカッター部に臨ませるための繰出し窓が、該庇状湾曲隔壁部の湾曲部分よりやや下方位置、即ち、未使用の対象ロールペーパー断面円形の接線の中、上向きカッター部に及ぶこととなる接線を完全に含む位置に、横長形状のものとして形成、確保したものとしなければならず、例えば、トイレットペーパーを対象ロールペーパーとされたものの場合には、該繰出し窓の横巾寸法が、市販ロールペーパー巾（例えばＪＩＳ規格１１４ｍｍ±２）を安全に通せる巾のものとするのが良く、そして、縦寸法は、少なくともペーパー厚よりも大きければ良いとはいうものの、既設ロールホルダーに対し、最初に未使用の対象ロールペーパーをセットしてその端部を剥がし、当該繰出し窓から引き出す際の操作性を考慮して、できれば標準的な人の親指と人差し指とを重ねた外形寸法２ｃｍ前後のものとするのが望ましいと言え、さらに、後述する実施例にも示すように、蓋状壁部ないし上向きカッター部の左右幅を対象ロールペーパーの軸長より充分に大きく設定し、対象ロールペーパー用繰出し窓の左右幅を対象ロールペーパーの軸長と同じか、または僅かに長く設定されてなるものとするのが良いといえる。
【００２８】
そして、その繰出し窓に臨む該庇状湾曲隔壁部は、対象ロールペーパーの引き出し操作時の安全面からも、さらにはセット済対象ロールペーパーの残部端がわを引き出してゆき、上向きカッター部での切断操作に入るまでに引っ掛かり、破断してしまう不測の事態を回避するためにも、滑らかな加工を施したものとすべきであり、例えば、ロールペーパー用繰出し窓は、その開口上縁を水平状とし、同開口下縁を、左右端間中央で上下最大開口寸法とした概略円弧形状のものとしてなるものとすることができる
【００２９】
上向きカッター部は、繰出し窓を通して誘導、所望長に引き出した対象ロールペーパー繰り出し残端部がわを、望み通り円滑且つ確実に切り離す機能を担うもので、上記庇状湾曲隔壁部の垂れ下がり状となった下端縁前方所定位置に、当該庇状湾曲隔壁部下端縁に連続して一体的に形成し、そのままかやや狭めた巾で前方に略水平もしくはやや上向き水平状に屈曲して所定巾分延伸させた鍔壁部の先端縁から、上方に向けて屈曲され、立上壁部が立設され、その上端縁が上向きカッター部に形成されたものであり、該上向きカッター部の位置は、回転支軸（片支持軸）の高さ位置辺りと略同様の高さ位置かやや高めとなる位置に確保するようにすべきで、庇状湾曲隔壁部の垂れ下がり下端縁からその位置が決定されたものとするのが望ましい。
【００３０】
そして、上向きカッター部は、手で軽く触れても安全な程度の形状を呈するものであって、一般的な対象ロールペーパー用のカッター部と略同等の切断が可能なものとしなければならず、上向きカッター部が立上壁部の先端縁に一体化されたものとする外、別部品の刃物が装着されたものとすることもでき、それらは鋸刃型、直線状の刃型、曲面状の刃型など様々な形状のものとすることができ、充分な耐久性を確保できる素材製のもの、例えば金属製や合成樹脂製（例えば、シリコン樹脂製などの軟質合成樹脂製）などとすることができ、さらにまた、後述する実施例にも示してあるとおり、立上壁部の先端縁エッジ部分が上向きカッター部となるよう一体化成型、プレス成型または切削加工されるなどしてなるものとするのがよく、より具体的なものとして示すと、例えば、同繰出し窓が、その開口上縁を水平状とし、同開口下縁を、左右端間中央で上下最大開口寸法としたＶ字形状または円弧形状とすると共に、上向きカッター部のエッジ輪郭をＶ字形状または円弧形状のものとしてなるものとすることができる。
【００３１】
可撓機構は、上向きカッター部に、過大荷重が加わった場合に、同上向きカッター部を自動的に退避し、過大荷重が無くなると再び元の姿勢に復帰可能なものとする機能を担うものであり、セット済対象ロールペーパーの残部端がわを引き出し、上向きカッター部で切断操作可能とするに充分な強度をもって、同上向きカッター部を支持可能なものとし、且つ、それよりも過大な荷重や衝撃的な外力が加わった場合に、上向きカッター部を自動的に退避するよう動作するものとしなければならず、例えば、当該庇状湾曲隔壁部ないし上向きカッター部の少なくとも一箇所か、または、施蓋物と可撓刃物との間かの何れか一方に、バネやゴム、軟質合成樹脂などの各種弾性素材製や軟質素材製の可撓性部品類を介在させ、過大な荷重や衝撃的な外力が加わった場合に、上向きカッター部を自動的に退避するよう動作可能なものとすることができる外、後述する実施例にも示すように、庇状湾曲隔壁部の下端縁と、鍔壁部基端との間に、鍔壁部および上向きカッター部を複数の角度姿勢の中、適宜選択した何れか１つの角度姿勢に節度感をもって調節し、且つ過大な荷重が加わるまで選択調節角度姿勢のまま支持可能な姿勢チャンネル部を有してなるものとすることが可能であり、また、庇状湾曲隔壁部ないし上向きカッター部の少なくとも一箇所の左右端間にわたり連続する脆弱部を有するもの、より具体的には、庇状湾曲隔壁部ないし上向きカッター部の表面がわとなる少なくとも一箇所の左右端間にわたり、一直線状に連続する溝状薄肉脆弱部を有するもの、さらにまた、庇状湾曲隔壁部ないし上向きカッター部の裏面がわとなる少なくとも一箇所の左右端間にわたり、一直線状に連続する溝状薄肉脆弱部を有するもの、表現を変えて示すと、ロールペーパー用繰出し窓の左右外がわとなる庇状湾曲隔壁部を、応力集中脆弱部としたものなどとすることが可能である。
【００３２】
可塑性吊りハンドルは、この発明の可搬型ロールホルダーを運搬、移動および所望の吊り下げ対象に対して着脱自在に吊り下げ設置容易なものとする機能を担い、この発明の可搬型ロールホルダーの構成部品の中でも最も要となる部分であり、ホルダー本体の上壁適所に対して、対象ロールペーパーを保持したホルダー本体を吊り下げ保持可能な強度を有して一体化されたものとしなければならず、可塑性吊りハンドルの基端が、取付け金具類や、取付けバンド類などの装着用部品類を介して左右腕壁の各上壁に結合されたものとすることができる外、後述する実施例にも示すように、対象ロールペーパーが未装着の場合のホルダー本体の重心位置に対応する左右端、ないし、対象ロールペーパーが装着された場合のホルダー本体の重心位置に対応する左右端の前後間の適所に対応する該左右腕壁の各上壁に、棒状の左右独立型、および、ループ状の左右一体型の何れか一方とされたものとすべきであり、人の手による入力によって容易に変形可能な可塑性金属線製の軸体に軟質合成樹脂製の皮膜層が被覆され、棒状の左右独立型とされたものの場合には、該軸体の先端に保護キャップが装着されてなるものとするのがよく、該保護キャップは、フックや吊り環、吸盤、永久磁石などの吊り下げ機能を有する部品に置き換えることが可能である。
【００３３】
また、可塑性吊りハンドルは、例えば、塑性変形可能な銅製棒に合成樹脂製被膜層が被着されてなるものとしたり、アルミニウム合金製の蛇腹パイプからなるものとしたり、複数個の球状駒および凹面状駒が交互に接合されて棒状に連結され、各駒の中央を縦貫するよう内蔵されたバネやゴム紐、索条類などによって軸方向の牽引力が与えられ、隣接する駒同士間の摩擦力によって姿勢維持可能となるようにされた塑性状可撓体からなるものとしたりすることが可能である。
【００３４】
対象ロールペーパーは、ロール状に巻き取られたシート状、フィルム状、テープ状、薄膜状、箔状、チューブ状、連続する多数枚の袋状物など従前からの各種製品であって、この発明の可搬型ロールホルダーに回転自在に装着して、その端部がわを所望する長さ分だけ引き出して引き千切るよう切断し、各種用途に利用可能なものとすることができ、より具体的には、例えば、キッチンペーパー、アルミ箔、ロールウェス、ロール状樹脂袋、ロール状粘着テープなど、ロール紙に限定せず、ロール状に巻き取られたシート類であるということが可能であって、後述する実施例にも示すように、代表的にはトイレットペーパーを対象として略所定の形状のものに形成する一方、当該可搬型ロールホルダーは、それらの対象ロールペーパー類の形状および寸法に応じ、当該対象ロールペーパー類を装着・利用可能とするようにしたものとしなければならない。
以下では、図面に示すこの発明を代表する実施例と共に、その構造について詳述することとする。                                                                                    
【図面の簡単な説明】
【００３５】
図面は、この発明の可搬型ロールホルダーの技術的思想を具現化した代表的な幾つかの実施例を示すものである。
【図１】可搬型ロールホルダーを示す斜視図である。
【図２】可搬型ロールホルダーを示す斜視図である。
【図３】可搬型ロールホルダーを示す側面図である。
【図４】可搬型ロールホルダーを示す正面図である。
【図５】上向きカッター部を持たない可搬型ロールホルダーを示す側面図である。
【図６】上向きカッター部を持たない可搬型ロールホルダーを示す正面図である。
【図７】追加型カッターの装着状態を示す側面図である。
【図８】追加型カッターの装着状態を示す正面図である。
【図９】可撓機構を有する追加型カッターを断面化して示す側面図である。
【図１０】可撓機構の動作を断面化して示す側面図である。
【図１１】棒状左右独立型の可塑性吊りハンドルを示す斜視図である。
【図１２】可搬型ロールホルダーの利用状態を示す斜視図である。
【図１３】建築物壁面に設置される従来型のロールホルダーを示す斜視図である。
【実施例１】
【００３６】
図１ないし図４に示す事例は、対象ロールペーパーＲの左右端に対峙可能な間隔を隔てて対峙する左右腕壁３，３が、背壁４を介して一体化されたホルダー本体２を有し、該左右腕壁３，３の互いに対峙する対峙側壁３０，３０の中央付近間に、対象ロールペーパーＲの回転の軸心を着脱および回転自在に支持可能なロールペーパー用装着機構６０を有する回転支軸６が設けられ、該ホルダー本体２の上壁適所に対して、対象ロールペーパーＲを保持したホルダー本体２を吊り下げ保持可能な強度を有する可塑性吊りハンドル８の基端が一体化されてなるものとした、この発明の可搬型ロールホルダーにおける代表的な一実施例を示すものである。
【００３７】
それら各図からも明確に把握できるとおり、この発明の可搬型ロールホルダー１は、回転の軸心が水平方向に向けられた対象ロールペーパーＲの左右端に対峙可能な間隔を隔てて対峙する左右腕壁３，３が、背壁４を介して一体化されたホルダー本体２を有し、該左右腕壁３，３の背後がわ上端間に対して、蓋状壁部５の基端が、該蓋状壁部５の先端を上下揺動自在とする基端軸装部５０を介して軸着されて、該蓋状壁部５は、同蓋状壁部５の先端から庇状湾曲隔壁部５２を垂下し、該庇状湾曲隔壁部５２の下端縁から同左右幅のまま前方に屈曲され、鍔壁部５３を所定前後長分延伸された上、同鍔壁部５３先端縁から上方に向け同左右幅の立上壁部５４が立設され、該立上壁部５４の上端縁に、軟質合成樹脂製の鋸刃状の上向きカッター部５５を有すると共に、当該庇状湾曲隔壁部５２には、対象ロールペーパーＲの軸長に略相当する左右幅長の対象ロールペーパーＲ用繰出し窓５６が開口されてなるものである。
該蓋状壁部５の庇状湾曲隔壁部５２の下端縁と、上向きカッター部５５との間に設けられた鍔壁部５３の天面形状が、左右方向概略Ｕ字形の水平樋状に湾曲され、繰出し窓５６から上向きカッター部５５に掛けて残存される対象ロールペーパーＲの操り出し残端部Ｒ０の把持スペースの確保用となる手指挿入用凹部５３とされたものとしてある。
【００３８】
回転支軸６は、左右腕壁３，３の互いに対峙する対峙側壁３０，３０の中央付近に、左右一対の片支持軸６，６が、それら先端同士を、装着位置に配された場合の対象ロールペーパーＲの中空円筒形軸内となる同一水平線上に対峙するよう、各片支持軸６，６の基端が設けられたものであって、ロールペーパー用装着機構６０は、各片支持軸６，６の先端を下向き方向に付勢する弾性付勢部（図示せず）が設けられると共に、各片支持軸６，６の基端が、対峙側壁３０，３０の中央付近に対し、各片支持軸６，６の先端の上方回動の水平軸心回りに回動自在に軸着され、上方向の入力を受けて直立方向に姿勢変形自在とされたものとしてある、さらに、各片支持軸６，６の下側基端部付近には、対峙側壁３０，３０に係合可能な突起状となり、各片支持軸６，６の先端が下向きに倒れないよう規制するものとされた水平規制部６１、６１が設けられ、各片支持軸６，６が、対峙側壁３０，３０に対して水平姿勢に片持ち支持されたものとなっている。
【００３９】
そして、図３に示すように、ホルダー本体２の左右腕壁３，３の上壁であって、対象ロールペーパーＲが未装着の場合のホルダー本体２の重心位置（同図３の背壁４寄りの破線矢印）に対応する左右端、ないし、対象ロールペーパーＲが装着された場合のホルダー本体２の重心位置（同図３の片支持軸６下の破線矢印））に対応する左右端の前後間の適所（同図３の一点鎖線矢印に示す重心位置）に対応する位置には、銅線製や鉄線製の軸体８０に軟質樹脂製の皮膜層８１が被覆されてなる、門型（ループ状）の左右一体型とされ、右がわ基端から左がわ基端までの全長が、３０ｃｍないし４０ｃｍ、より具体的には約３６ｃｍに設定された可塑性吊りハンドル８の基端が夫々植設状に一体化されてなるものとなっている。
【００４０】
（実施例１の作用・効果）
以上のとおりの構成からなるこの発明の可搬型ロールホルダー１は、図４に示してあるように、片手で可塑性吊りハンドル８を把持してホルダー本体２を空中に吊り下げるよう保持し、回転の軸心が水平（左右）方向に向けられた姿勢となるよう、対象ロールペーパーＲを別の片手で把持し、ホルダー本体２の左右腕壁３，３間の下方から、同左右腕壁３，３間まで上方に向けて上昇させながら、同対象ロールペーパーＲの軸心上の外周壁が、左右一対の片支持軸６，６の各先端がわを押し退けるようにして、同対象ロールペーパーＲが装着される位置まで移動すると、該片支持軸６，６の各先端がわが、ロールペーパー用装着機構６０の左右各弾性付勢部（図示せず）の弾性復元力によって同対象ロールペーパーＲの円筒形空洞状の軸心内まで上昇され、左右の水平規制部６１，６１が、左右の片支持軸６，６を水平姿勢に支持するよう規制し、同対象ロールペーパーＲが、水平姿勢且つ回転自在に支持されることとなる。
【００４１】
そして、図１ないし図３に示すとおり、左右の片支持軸６，６に回転自在に保持された対象ロールペーパーＲから繰り出した端部Ｒ０は、同図３の二点矢印に示すように、蓋状壁部５の繰出し窓７６から、上向きカッター部５５上を超えて引き出し、使用する長さを引き出した上、切断目標箇所を、片手で該上向きカッター部５５上に一致させ、同図３中の実線矢印および図４に示すように、対象ロールペーパーＲの繰り出し端部Ｒ０がわの中途箇所を上向きカッター部５５の左端か右端かの何れか一方がわから、左右何れか反対がわまで次第に引き裂くよう引き降ろし操作して簡単に切断することができ、図３に示すように、この裁断のときに、庇状湾曲隔壁部５２が、対象ロールペーパーＲの上部外周壁を下向きに抑え込む力が発生、対象ロールペーパーＲが、勝手に回転して繰り出されてしまうのを確実に阻止するものとなり、対象ロールペーパーＲの裁断後は、同対象ロールペーパーＲの操り出し残端部Ｒ０は、繰出し窓７６から、上向きカッター部５５上まで残存することとなり、次回使用する場合には、該繰出し窓７６から、上向きカッター部５５上まで掛け渡されるように残存する操り出し残端部Ｒ０を把持して、繰り出しおよび裁断するよう操作することができるから、同対象ロールペーパーＲの装着、および、繰り出し裁断までの全てを片手で行うことができる。
また、上向きカッター部５５が、軟質合成樹脂製の鋸刃状のものとしてあるから、人や他物などが不用意に接触してしまった際にも、その柔軟性によって刃先が軟らかく変形して、被害の発生を未然に防止できる上、鋸刃状の形状としてあるから、軟質な素材であっても充分に対象ロールペーパーＲを裁断できる耐久性を有するものとなる。
【００４２】
加えて、図３に示すように、可塑性吊りハンドル８の対象ロールペーパーＲが未装着の場合のホルダー本体２の重心位置（同図３中の背壁４寄りの破線矢印）に対応する左右端、ないし、対象ロールペーパーＲが装着された場合のホルダー本体２の重心位置（同図３中の片支持軸６下の破線矢印）に対応する左右端の前後間の適所（同図３中の一点鎖線矢印）に対応する該左右腕壁３，３の各上壁に、可塑性吊りハンドル８の各基端が夫々植設状に一体化されたものとしてあるから、該可塑性吊りハンドル８を利用した吊り下げ姿勢の安定性、および、対象ロールペーパーＲの繰り出し、裁断操作性を高めることができ、例えば、片手に該可塑性吊りハンドル８を把持して、当該可搬型ロールホルダー１を手提げ保持したまま、もう片方の別の手で該対象ロールペーパーＲを繰り出し、裁断操作することができるものとなり、さらに、図１２に示すように、医療用のベッド９の転落防止用のフェンス９０などの適所に該可塑性吊りハンドル８を巻き付け、簡便に吊り下げ設置して利用することが可能となる。                                                                          
【実施例２】
【００４３】
図５および図６に示される可搬型ロールホルダー１は、前記実施例１の図１ないし図４に示した可搬型ロールホルダー１の、可塑性吊りハンドル８は、そのままに、蓋状壁部５のみを従来型のものとされたものであり、こうした従来型の蓋状壁部５を有する可搬型ロールホルダー１は、図７および図８に示すように、追加型カッター７を既存の蓋状壁部５の天面上に、接着層７０を介して積層状に固着されたものとすることが可能であり、該追加型カッター７は、該蓋状壁部の天面上に積層状に固着可能な接着層７０を介して着脱自在とされた追加型蓋状壁部７１を有し、該追加型蓋状壁部７１の先端から庇状湾曲隔壁部７２を垂下し、該庇状湾曲隔壁部７２の下端縁から同左右幅のまま前方に屈曲され、鍔壁部７３を所定前後長分延伸された上、同鍔壁部７３先端縁から上方に向け同左右幅の立上壁部７４が立設され、該立上壁部７４の上端縁に、軟質合成樹脂製の鋸刃状の上向きカッター部７５を有すると共に、当該庇状湾曲隔壁部７２には、対象ロールペーパーＲの軸長に略相当する左右幅長の対象ロールペーパーＲ用繰出し窓７６が開口されており、該鍔壁部７３の天面形状が、左右方向概略Ｕ字形の水平樋状に湾曲され、該繰出し窓７６から該上向きカッター部７５に掛けて残存される対象ロールペーパーＲの操り出し残端部Ｒ０の把持スペースの確保用となる手指挿入用凹部７３とされたものとしてある。
【００４４】
図９および図１０に示すように、追加型カッター７は、庇状湾曲隔壁部７２ないし上向きカッター部７５の適所に、上向きカッター部７５に、過大荷重が加わった場合に自動的に退避し、過大荷重が無くなると再び元の姿勢に復帰可能な可撓機構７７が設けられたものとすることが可能であり、前記実施例１の図１ないし図４に示した、ホルダー本体２に始めから一体に設けられた蓋状壁部５の、庇状湾曲隔壁部５２ないし上向きカッター部５５の適所にも、同様の可撓機構７７が設けられたものとすることができ、該可撓機構７７は、例えば、庇状湾曲隔壁部７２左右端に設けられた補強リブ間に、鍔壁部７３ないし上向きカッター部７５の退避部一体化部品（７３，７４，７５）の基部が、上向きカッター部７５を上下回動自在とするよう軸着され、該左右補強リブの対峙壁適所には、内向きの係合突起７８，７８が突設され、該退避部一体化部品（７３，７４，７５）が、各係合突起７８，７８を弾性的に乗り越え、上方に回動されると、図９に示されるように、上向きカッター部７５が使用状態の姿勢に維持され、対象ロールペーパーＲを裁断するに充分な強度をもって支持するものとなり、図１０の実線矢印のように、上向きカッター部７５に下向きの過大荷重が加わった場合には、該退避部一体化部品（７３，７４，７５）が、各係合突起７８，７８を弾性的に乗り越えて、上向きカッター部７５が下向き姿勢に変化可能なものとなっている。
【００４５】
（実施例２の作用・効果）
この発明の可搬型ロールホルダー１は、図５および図６のとおり、従来型のホルダー本体２に対し、前述の実施例１の図１ないし図４にも示してあるように、重量バランスを考慮した位置に可塑性吊りハンドル８が設けられたものとされていることから、前述の実施例１の可搬型ロールホルダー１と同様に、バランス良く持ち運びできる上、適所に吊り下げて円滑に利用することができるものとなり、さらに、図７および図８の白抜き矢印に示すように、ホルダー本体２に設けられた従来型の蓋状壁部５の天面上に、接着層７０を介して追加型カッター７が積層状に一体化されたものとすることにより、片手のみによる対象ロールペーパーＲの繰り出しおよび裁断操作を簡便且つ確実に行うことができるものとなる。
【００４６】
加えて、図９および図１０に示すように、撓機構７７を有した蓋状壁部５や追加型カッター７は、何れも、上向きカッター部５５（，７５）に対象ロールペーパーＲの裁断よりも過大な下向きの荷重が加わったときに、退避部一体化部品（７３，７４，７５）が自動的に下向きに退避するから、不用意な接触による人や他物への被害を未然に防止することができると共に、簡単に元の形状に復帰させて、再度、利用を開始することができるといる。                                                                                            
【実施例３】
【００４７】
図１１に示す事例は、前記実施例１の図１ないし図４に示した可搬型ロールホルダー１の可塑性吊りハンドル８を、棒状の左右独立型の可塑性吊りハンドル８，８に置き換えられたものであり、可塑性吊りハンドル８，８は、可塑性および可撓性を有する銅線、鉄線などの金属線からなり、基端から先端まで２０ｃｍないし３０ｃｍ、より具体的には、約２５ｃｍの長さに設定された軸体８０に対して、軟質合成樹脂製の皮膜層８１が被覆されると共に、該軸体８０の先端には、合成樹脂製の球形保護キャップ８２が装着されたものとしてある。
【００４８】
（実施例３の作用・効果）
この発明の可搬型ロールホルダー１は、図１１に示すように、棒状の左右独立型の可塑性吊りハンドル８，８を有するから、同図１１のように、左右の可塑性吊りハンドル８，８の先端がわを束ねるように折り曲げると、概略門型のハンドルとすることができる上、左右夫々の可塑性吊りハンドル８，８を、夫々別の家具などに跨ぐように吊り下げたり、夫々をフック状に折り曲げて引っ掛けて吊り下げたりすることができ、設置自由度をより一層高めたものとすることができ、また、各可塑性吊りハンドル８，８先端の保護キャップ８２，８２が、左右の可塑性吊りハンドル８，８の先端から、内部の軸体８０が露出するのを防止して、劣化や破損を防止できると共に、人や他物に接触した際にも、衝撃を緩衝し、格段に安全性を高めたものとすることができる。
【００４９】
（結  び）
叙述の如く、この発明の可搬型ロールホルダーは、その新規な構成によって所期の目的を遍く達成可能とするものであり、しかも製造も容易で、従前からの搬送可能なロールペーパー用ホルダーに必要とされていた、設置用のテーブルや、吊り金具および吊り紐などを一切不要とすることができ、可塑性吊りハンドルを設けたから、自立型のものに比較して構造を大幅に簡素化し、それに伴い格段に軽量化して遙かに経済的なものとすることができる上、運搬および設置を一層、簡便に行えるものとなり、従前までは、必要箇所の夫々に個別に設置したり、ロールホルダーを苦労して持ち運び、設置しなければならなかったが、こうした煩わしさや、経済的負担などを解消するものとなり、各種ロールペーパー類の製造業界およびロールホルダーの製造業界はもとより、各種ロールペーパーやロールホルダーなどを販売するホームセンター業界やスパーマーケット業界およびドラッグストア業界などにおいても高く評価され、広範に渡って利用、普及していくものになると予想される。                                                                                                            
【符号の説明】
【００５０】
１      可搬型ロールホルダー
２      ホルダー本体
３      左右腕壁
３０    同  対峙側壁
４      背壁
５      蓋状壁部
５０    同  基端軸装部
５１    同  カッター部
５２    同  庇状湾曲隔壁部
５３    同  鍔壁部（手指挿入用凹部）
５４    同  立上壁部
５５    同  上向きカッター部
５６    同  繰出し窓
６      片支持軸
６０    同  ロールペーパー用装着機構
６１    同  水平規制部
７      追加型カッター
７０    同  接着層
７１    同  追加型蓋状壁部
７２    同  庇状湾曲隔壁部
７３    同  鍔壁部（手指挿入用凹部）
７４    同  立上壁部
７５    同  上向きカッター部
７６    同  繰出し窓
７７    同  可撓機構
７８    同  係合突起
８      可塑性吊りハンドル
８０    同  軸体
８１    同  皮膜層
８２    同  保護キャップ
９      ベッド
９０    同  転落防止のフェンス
Ｒ      対象ロールペーパー
Ｒ０    同  引き出した部分（操り出し残端部）
Ａ      ホルダー本体
Ａ０    同  背壁
Ａ１    同  左右腕壁
Ａ２    同  装着軸
Ｂ      上蓋
Ｂ０    同  基端
Ｂ１    同  遊端縁
Ｂ２    同  カッター部
【図１】
2019022618.tif 000003
【図２】
2019022618.tif 000004
【図３】
2019022618.tif 000005
【図４】
2019022618.tif 000006
【図５】
2019022618.tif 000007
【図６】
2019022618.tif 000008
【図７】
2019022618.tif 000009
【図８】
2019022618.tif 000010
【図９】
2019022618.tif 000011
【図１０】
2019022618.tif 000012
【図１１】
2019022618.tif 000013
【図１２】
2019022618.tif 000014
【図１３】
2019022618.tif 000015
【手続補正書】
【提出日】平成30年7月6日(2018.7.6)
【手続補正１】
【補正対象書類名】特許請求の範囲
【補正対象項目名】全文
【補正方法】変更
【補正の内容】
【特許請求の範囲】
【請求項１】
回転の軸心が水平方向に向けられた対象ロールペーパーの左右端に対峙可能な間隔を隔てて対峙する左右腕壁が、対象ロールペーパーの引き出し口となる前壁を除く、天壁、背壁および底壁の少なくとも何れか一つを介して一体化されたホルダー本体を有し、該左右腕壁の背後がわ上端間に対し、先端にカッター部が設けられた蓋状壁部の基端が、該蓋状壁部の先端を上下揺動自在とする基端軸装部を介して軸着され、同蓋状壁部先端から庇状湾曲隔壁部を垂下し、該庇状湾曲隔壁部の下端縁から同左右幅のまま前方に屈曲され、鍔壁部を所定前後長分延伸された上、同鍔壁部先端縁から上方に向け同左右幅の立上壁部が立設され、該立上壁部の上端縁に、軟質合成樹脂製の鋸刃状の上向きカッター部を有すると共に、当該庇状湾曲隔壁部ないし上向きカッター部の少なくとも一部に、上向きカッター部に過大荷重が加わった場合に自動的に退避し、過大荷重が無くなると再び元の姿勢に復帰可能な可撓機構が設けられ、当該庇状湾曲隔壁部には、対象ロールペーパーの軸長に略相当する左右幅長の対象ロールペーパー用繰出し窓が開口され、該左右腕壁の互いに対峙する対峙側壁の中央付近に、先端を下向き方向に付勢する弾性付勢部が設けられるか、または、自重によって先端が下向きに付勢されるかの少なくとも何れか一方とするよう、基端が水平軸心回りに回動自在に軸着され、上方向の入力を受けて直立方向に姿勢変形自在とされたロールペーパー用装着機構を有し、且つ、先端が下向きに倒れないよう規制する水平規制部を有して水平姿勢に片持ち支持され左右で一対となる片支持軸が設けられ、対象ロールペーパーが未装着の場合のホルダー本体の重心位置に対応する左右端、ないし、対象ロールペーパーが装着された場合のホルダー本体の重心位置に対応する左右端の前後間に対応する該左右腕壁の各上壁に、棒状の左右独立型か、ループ状の左右一体型かの何れか一方とされた可塑性吊りハンドルの基端が夫々植設状に一体化されてなるものとしたことを特徴とする可搬型ロールホルダー。
【請求項２】
回転の軸心が水平方向に向けられた対象ロールペーパーの左右端に対峙可能な間隔を隔てて対峙する左右腕壁が、対象ロールペーパーの引き出し口となる前壁を除く、天壁、背壁および底壁の少なくとも何れか一つを介して一体化されたホルダー本体を有し、該左右腕壁の背後がわ上端間に対し、先端にカッター部が設けられた蓋状壁部の基端が、該蓋状壁部の先端を上下揺動自在とする基端軸装部を介して軸着され、該蓋状壁部が、同蓋状壁部の天面に対し、該蓋状壁部の天面上に積層状に固着可能な接着層を介して着脱自在とされた追加型蓋状壁部を有し、該追加型蓋状壁部の先端から庇状湾曲隔壁部を垂下し、該庇状湾曲隔壁部の下端縁から同左右幅のまま前方に屈曲され、鍔壁部を所定前後長分延伸された上、同鍔壁部先端縁から上方に向け同左右幅の立上壁部が立設され、該立上壁部の上端縁に、軟質合成樹脂製の鋸刃状の上向きカッター部を有すると共に、当該庇状湾曲隔壁部ないし上向きカッター部の少なくとも一部に、上向きカッター部に過大荷重が加わった場合に自動的に退避し、過大荷重が無くなると再び元の姿勢に復帰可能な可撓機構が設けられ、当該庇状湾曲隔壁部には、対象ロールペーパーの軸長に略相当する左右幅長の対象ロールペーパー用繰出し窓が開口されてなる追加型カッターが、該追加型蓋状壁部の接着層を介して積層状に一体化され、該左右腕壁の互いに対峙する対峙側壁の中央付近に、先端を下向き方向に付勢する弾性付勢部が設けられるか、または、自重によって先端が下向きに付勢されるかの少なくとも何れか一方とするよう、基端が水平軸心回りに回動自在に軸着され、上方向の入力を受けて直立方向に姿勢変形自在とされたロールペーパー用装着機構を有し、且つ、先端が下向きに倒れないよう規制する水平規制部を有して水平姿勢に片持ち支持され左右で一対となる片支持軸が設けられ、対象ロールペーパーが未装着の場合のホルダー本体の重心位置に対応する左右端、ないし、対象ロールペーパーが装着された場合のホルダー本体の重心位置に対応する左右端の前後間に対応する該左右腕壁の各上壁に、棒状の左右独立型か、ループ状の左右一体型かの何れか一方とされた可塑性吊りハンドルの基端が夫々植設状に一体化されてなるものとしたことを特徴とする可搬型ロールホルダー。
【請求項３】
蓋状壁部か、追加型カッターが追加されたものの場合には追加型カッターかの何れか一方の庇状湾曲隔壁部の下端縁と上向きカッター部との間に設けられた鍔壁部の天面形状が、左右方向概略Ｕ字形の水平樋状に湾曲され、繰出し窓から上向きカッター部に掛けて残存される対象ロールペーパーの操り出し残端部の把持スペースの確保用となる手指挿入用凹部とされてなるものとした、請求項１または請求項２何れか一方記載の可搬型ロールホルダー。
【請求項４】
可塑性吊りハンドルが、人の手による入力によって容易に変形可能な可塑性金属線製の軸体に軟質合成樹脂製の皮膜層が被覆され、棒状の左右独立型とされたものの場合には、該軸体の先端に保護キャップが装着されてなるものとした、請求項１ないし３何れか一記載の可搬型ロールホルダー。                                                            
【手続補正２】
【補正対象書類名】明細書
【補正対象項目名】全文
【補正方法】変更
【補正の内容】
【発明の詳細な説明】
【技術分野】
【０００１】
この発明は、ロール型シート状製品を保持するロールホルダーに関連するものであって、特に、容易に持ち運び、適所に簡便に設置可能なものとされたロールホルダーを製造、提供する分野は勿論のこと、その輸送、保管、組み立ておよび設置に必要となる設備、器具類を提供、販売する分野から、それら資材や機械装置、部品類に必要となる素材、例えば、木材、石材、各種繊維類、プラスチック、各種金属材料等を提供する分野、それらに組み込まれる電子部品やそれらを集積した制御関連機器の分野、各種計測器の分野、当該設備、器具を動かす動力機械の分野、そのエネルギーとなる電力やエネルギー源である電気、オイルの分野といった一般的に産業機械と総称されている分野、更には、それら設備、器具類を試験、研究したり、それらの展示、販売、輸出入に係わる分野、将又、それらの使用の結果やそれを造るための設備、器具類の運転に伴って発生するゴミ屑の回収、運搬等に係わる分野、それらゴミ屑を効率的に再利用するリサイクル分野などの外、現時点で想定できない新たな分野までと、関連しない技術分野はない程である。                                  
【背景技術】
【０００２】
（着目点）
一般的なロールホルダーは、例えば、図１３に示すように、建築物室内の壁面適所に木ネジなどで完全に固着された状態に設置可能とされた背壁Ａ０の左右端から左右腕壁Ａ１，Ａ１が夫々前方に突出するよう延伸されてなるホルダー本体Ａかなり、該左右腕壁Ａ１，Ａ１間に、対象ロールペーパーＲの筒状芯部分を水平状且つ回転自在に軸支可能な装着軸Ａ２と、同装着軸Ａ２に装着した対象ロールペーパーＲの上がわを開閉自在に覆うよう、該ホルダー本体Ａに基端Ｂ０が軸着された曲面板状体であって、その遊端縁Ｂ１に、引き出した対象ロールペーパーＲの中途部分を裁断可能なカッター部Ｂ２が形成されてなる上蓋Ｂとを有するようにしたものであり、利用に際しては、該上蓋Ｂで対象ロールペーパーＲの外周面を上方から下向きに抑え込み、同上蓋Ｂのカッター部Ｂ２を境に、対象ロールペーパーＲの引き出した部分Ｒ０を引き上げるようにして裁断する構造のものが殆どであった。
【０００３】
こうした一般的なロールホルダーＡは、例えば、トイレで使用されるトイレットペーパーＲを保持するものは、トイレ室内の利用し易い高さの壁面適所に固着されるものとなっていて、設置場所から工具を使用すること無く、それ以外の場所へ移動および設置するのが困難なものとなっており、例えば、トイレットペーパーＲをティッシュペーパーなどのように、リビングルームや病院の病室内などで利用しようとした場合には、対象ロールペーパーＲの筒状軸心に紐や針金などを通して吊り下げたりして利用せざるを得ず、見栄えが悪いだけでなく、対象ロールペーパーＲを引き出して裁断する際に、カッターが無いため、両手で掴んで引き千切るようにしなければ裁断できず、対象ロールペーパーＲの破断端も見栄えが悪くなってしまうという欠点があった。
【０００４】
（従来の技術）
こうした状況を反映し、その打開策となるような提案も、これまでに散見されない訳ではない。
例えば、下記の特許文献１（１）に提案されているものに代表されるように、基台の上面に一方向に起伏自在で、かつ伸縮自在のポールが取付けられ、該ポール取付け位置の近くに設けられた球面軸受けによって支え棒が基台上面の全方向に旋回可能に配置され、ポールの起立状態で巻取りロール体を支持すると共に、支え棒の先端を巻取りロールの表面に接触させて切取端の剥離や垂れ下がりを防止し、ポールの上端近くには吊り下げ用フックまたはSカンの挿通孔が設けられ、基台の裏面に、磁石が固着されたことで金属製厨房台や家具類への設置を容易にし、また、不使用時には、ポールと支え棒とを同方向に倒すことによりホルダー全体を薄形に折り畳んで収納し易いものとした巻取りロール体のホルダーがある。
【０００５】
また、同特許文献１（２）に見られるような、ロールペーパーを、芯を横にして回転自在に保持するホルダー部材と、このホルダー部材を支持する支持部材とから形成され、この支持部材が、設置用のベース部と、このベース部から立ち上げる起立部とから形成され、この起立部に、上記のホルダー部材を設けた上、該ホルダー部材の左右上側部間には、持ち運び用の取っ手が掛け渡し状に設けられてなる卓上用ロールペーパーホルダーや、同特許文献１（３）に示されているような、厚紙などの板材に切り込みを入れたものであって、ロールペーパーの中空軸の両端に挿入してこれを保持するための先端部が相互に対向したＬ字形および逆Ｌ字形の一対の保持部と、埃よけを兼ね、下縁がペッパー切断部となり、頂辺に吊り仕上げ辺を備えた前面板と、同じく埃よけ用の背面板とより成り、各部片が、相互に相補形をなすと共に、夫々の頂辺が互いに接続した一体のものとしてなり、折り目から折り曲げられると、背面板、前面板、および左右Ｌ字形保持部が現れ、該前面板の左右間頂部に、吊下げ片が突起するものとされてなるロールペーパーホルダーなどが散見される。
【０００６】
しかし、前者特許文献１（１）に示されているような巻取りロール体のホルダーなどは、ロールペーパーから繰り出された端部がわを綺麗に切断するためのカッターを備えておらず、また、ロールペーパーを切断する際には、一方の手でロールペーパーの回転を止めたり、残そうとするがわのロールペーパーを確実に把持するなどして、切断する端部がわを他方の手で引き裂くように操作しなければならず、さらに、該ホルダーを持ち運ぶ際には、取っ手部分が無く、不便である上、適所に吊り下げて使用する場合には、ルックやＳカン、その他の吊り金具類や吊り紐類を必須とするもので不便なものであったし、また、特許文献１（２）の卓上用ロールペーパーホルダーなどは、持ち運んで机上などに立てて利用するのに非常に便利なものであるが、例えば、病院のベッドや介護用のポータブルトイレなどのように、トイレットペーパーなどを据え置く場所を確保出来ない場合などには、取り付けるのが難しく、例えば、取っ手部分をフックなどに吊して設置する場合には、取っ手が硬質素材製のもののため、左右のバランスを保つのが難しく、左右何れか一方に傾いた状態に吊り下がり、ロールペーパーの引き出し操作がし難くなってしまうことが懸念されるものとであり、また、取っ手部分などを紐などで縛り着けた場合には、不用意に紐が解けてしまい、落下してしまう虞がある上、持ち運びの毎に紐を解かなければ取り外しできないなど利便性に欠けるものであり、そして、特許文献１（３）に代表するロールペーパーホルダーなども、所望の位置に吊り下げて利用する場合には、吊り下げ対象となる箇所にフックを取り付けたり、紐などで結び付けたりしなければならず、やはり実用性には欠けていた。                                                                              
【特許文献１】（１）特開２００５−２７０２５４号公報    （２）実用新案登録第３１５７４７１号公報    （３）実公平２−２３１９７号公報
【発明の概要】
【発明が解決しようとする課題】
【０００７】
（問題意識）
上述したとおり、従前までに提案のある各種ロールペーパーホルダー類は、何れも病院のベッドや介護用のポータブルトイレなどのように、トイレットペーパーなどを据え置く場所を確保出来ない場所などに簡易的に設置したり、利用者の移動に伴って簡便に設置場所を移動したりするのが難しく、対象ロールペーパーの必要となる場所毎に、ロールペーパー用のホルダーを個別に設置したり、予め各利用場所毎にフックなどを設けて置き、持ち運んだロールペーパー用のホルダーをフックなどに吊り下げて利用できるようにしたり、ロールペーパー用のホルダーの括り紐を設け、持ち運んだ先の適所に該括り紐で括り付けて吊り下げ、利用可能なものとするなどの工夫が必要になり、前述のように設置箇所毎にロールペーパー用のホルダーを個別に準備するのは経済的負担が大きく、ロールペーパーの管理が煩雑なものとなり、また、設置箇所毎にフックを設けるのも経済的負担が大きく、ロールペーパー用のホルダーに括り紐を設けるものは、紐が不用意に解けないように結ぶのに手間が掛かり、また、きつく縛った紐を解くのにも手間が掛かるなどといった利便性の面で大いに課題を残すものとなっており、運搬と移動および設置を容易にする構造について、更に改善された新たなロールペーパー用のホルダーの開発の可能性を痛感するに至ったものである。
【０００８】
（発明の目的）
そこで、この発明は、既存のロールペーパーホルダーの機能性を活かしつつ、複数の利用場所間を容易に搬送することができ、しかもフック金具類や吊り紐などを一切不要とし、簡便に吊り下げ設置可能となる新たなロールペーパー用のホルダー技術の開発はできないものかとの判断から、逸速くその開発、研究に着手し、長期に渡る試行錯誤と幾多の試作、実験とを繰り返してきた結果、今回、遂に新規な構造の可搬型ロールホルダーを実現化することに成功したものであり、以下では、図面に示すこの発明を代表する実施例と共に、その構成を詳述することとする。                                                              
【課題を解決するための手段】
【０００９】
（発明の構成）
図面に示すこの発明を代表する実施例からも明確に理解されるように、この発明の可搬型ロールホルダーは、基本的に次のような構成から成り立っている。
即ち、
回転の軸心が水平方向に向けられた対象ロールペーパーの左右端に対峙可能な間隔を隔てて対峙する左右腕壁が、対象ロールペーパーの引き出し口となる前壁を除く、天壁、背壁および底壁の少なくとも何れか一つを介して一体化されたホルダー本体を有し、該左右腕壁の背後がわ上端間に対し、先端にカッター部が設けられた蓋状壁部の基端が、該蓋状壁部の先端を上下揺動自在とする基端軸装部を介して軸着され、同蓋状壁部先端から庇状湾曲隔壁部を垂下し、該庇状湾曲隔壁部の下端縁から同左右幅のまま前方に屈曲され、鍔壁部を所定前後長分延伸された上、同鍔壁部先端縁から上方に向け同左右幅の立上壁部が立設され、該立上壁部の上端縁に、軟質合成樹脂製の鋸刃状の上向きカッター部を有すると共に、当該庇状湾曲隔壁部ないし上向きカッター部の少なくとも一部に、上向きカッター部に過大荷重が加わった場合に自動的に退避し、過大荷重が無くなると再び元の姿勢に復帰可能な可撓機構が設けられ、当該庇状湾曲隔壁部には、対象ロールペーパーの軸長に略相当する左右幅長の対象ロールペーパー用繰出し窓が開口され、該左右腕壁の互いに対峙する対峙側壁の中央付近に、先端を下向き方向に付勢する弾性付勢部が設けられるか、または、自重によって先端が下向きに付勢されるかの少なくとも何れか一方とするよう、基端が水平軸心回りに回動自在に軸着され、上方向の入力を受けて直立方向に姿勢変形自在とされたロールペーパー用装着機構を有し、且つ、先端が下向きに倒れないよう規制する水平規制部を有して水平姿勢に片持ち支持され左右で一対となる片支持軸が設けられ、対象ロールペーパーが未装着の場合のホルダー本体の重心位置に対応する左右端、ないし、対象ロールペーパーが装着された場合のホルダー本体の重心位置に対応する左右端の前後間に対応する該左右腕壁の各上壁に、棒状の左右独立型か、ループ状の左右一体型かの何れか一方とされた可塑性吊りハンドルの基端が夫々植設状に一体化されてなるものとした構成を要旨とする可搬型ロールホルダーである。
【００１０】
この基本的な構成からなる可搬型ロールホルダーは、その表現を変えて示すと、回転の軸心が水平方向に向けられた対象ロールペーパーの左右端に対峙可能な間隔を隔てて対峙する左右腕壁が、対象ロールペーパーの引き出し口となる前壁を除く、天壁、背壁および底壁の少なくとも何れか一つを介して一体化されたホルダー本体を有し、該左右腕壁の背後がわ上端間に対し、先端にカッター部が設けられた蓋状壁部の基端が、該蓋状壁部の先端を上下揺動自在とする基端軸装部を介して軸着され、該蓋状壁部が、同蓋状壁部の天面に対し、該蓋状壁部の天面上に積層状に固着可能な接着層を介して着脱自在とされた追加型蓋状壁部を有し、該追加型蓋状壁部の先端から庇状湾曲隔壁部を垂下し、該庇状湾曲隔壁部の下端縁から同左右幅のまま前方に屈曲され、鍔壁部を所定前後長分延伸された上、同鍔壁部先端縁から上方に向け同左右幅の立上壁部が立設され、該立上壁部の上端縁に、軟質合成樹脂製の鋸刃状の上向きカッター部を有すると共に、当該庇状湾曲隔壁部ないし上向きカッター部の少なくとも一部に、上向きカッター部に過大荷重が加わった場合に自動的に退避し、過大荷重が無くなると再び元の姿勢に復帰可能な可撓機構が設けられ、当該庇状湾曲隔壁部には、対象ロールペーパーの軸長に略相当する左右幅長の対象ロールペーパー用繰出し窓が開口されてなる追加型カッターが、該追加型蓋状壁部の接着層を介して積層状に一体化され、該左右腕壁の互いに対峙する対峙側壁の中央付近に、先端を下向き方向に付勢する弾性付勢部が設けられるか、または、自重によって先端が下向きに付勢されるかの少なくとも何れか一方とするよう、基端が水平軸心回りに回動自在に軸着され、上方向の入力を受けて直立方向に姿勢変形自在とされたロールペーパー用装着機構を有し、且つ、先端が下向きに倒れないよう規制する水平規制部を有して水平姿勢に片持ち支持され左右で一対となる片支持軸が設けられ、対象ロールペーパーが未装着の場合のホルダー本体の重心位置に対応する左右端、ないし、対象ロールペーパーが装着された場合のホルダー本体の重心位置に対応する左右端の前後間に対応する該左右腕壁の各上壁に、棒状の左右独立型か、ループ状の左右一体型かの何れか一方とされた可塑性吊りハンドルの基端が夫々植設状に一体化されてなるものとした構成からなる可搬型ロールホルダーとなる。                            
【発明の効果】
【００１１】
以上のとおり、この発明の可搬型ロールホルダーによれば、従前までのものとは違い、上記したとおりの固有の特徴ある構成から、可塑性吊りハンドルを把持して手に提げ、容易に運搬、移動することができる上、可塑性吊りハンドルを変形するよう操作し、所望の形状に塑性変形することによって、従前までであれば、所望の位置に設置するのに、載置するためのテーブル類を必要としたり、吊り下げ用のフック金具類や吊り紐などを要するものであったが、載置用のテーブルなどを必要とせず、また、吊り下げ用の別部品類も要さずに、収納家具の取っ手部分や、ベッドサイドの転落防止用フェンスの適所など、様々な箇所に簡便に吊り下げて利用することができるものとなり、特に、棒状の左右独立型の可塑性吊りハンドルの場合には、互いの先端がわを折り重ねるように折曲すると、手提げ用のハンドルとなり、該左右独立型の棒状可塑性吊りハンドルを、家具類の適所に巻き付けたり、鈎状に折曲して吊り下げたりすることが可能となり、また、ループ状の左右一体型の可塑性吊りハンドルの場合には、そのまま既存のフック状金具類に吊り下げたり、ループ形状のホルダー本体から最も離れたがわとなる範囲を下向きに折り曲げるなどして、家具のフレームなどに吊り下げて設置したりすることができるようになるという秀でた特徴が得られるものである。
【００１２】
加えて、可塑性吊りハンドルが、対象ロールペーパーが未装着の場合のホルダー本体の重心位置に対応する左右端、ないし、対象ロールペーパーが装着された場合のホルダー本体の重心位置に対応する左右端の前後間に対応する該左右腕壁の各上壁に、植設状に一体化されてなるものとすることにより、対象ロールペーパーの装着、未装着に拘わらず、何れの状態にあっても、可塑性吊りハンドルを把持して手に提げると、ホルダー本体が大きく傾くことなく安定した姿勢のまま持ち運ぶことができ、しかも可塑性吊りハンドルを塑性変形させるなどして、適所に吊り下げ設置する場合にも、背壁の保持など考慮せずとも、正常姿勢を自動的に保持するものとなるから、特に、ロールペーパー用装着機構を有する左右一対となる片支持軸が設けられたものによれば、対象ロールペーパーの装着操作を片手で簡単に行うことができ、可塑性吊りハンドルによる吊り下げ保持のバランスの良さによって、対象ロールペーパーの回転、繰り出し操作も片手で簡便に行うことができるものになるという効果を奏する。
【００１３】
そして、蓋状壁部が、同蓋状壁部先端から庇状湾曲隔壁部を垂下し、該庇状湾曲隔壁部の下端縁から同左右幅のまま前方に屈曲され、鍔壁部を所定前後長分延伸された上、同鍔壁部先端縁から上方に向け同左右幅の立上壁部が立設され、該立上壁部の上端縁に、軟質合成樹脂製の鋸刃状の上向きカッター部を有すると共に、当該庇状湾曲隔壁部には、対象ロールペーパーの軸長に略相当する左右幅長の対象ロールペーパー用繰出し窓が開口されてなるものや、同様の形状の追加型カッターが装着されたものによれば、対象ロールペーパーの引き出し操作、および、裁断操作まで全て片手で行うことができるようになり、健常者は勿論のこと、怪我や身体に障害をもつ利用者にも簡単に利用できるものになるという利点が得られる。
【００１４】
さらに、庇状湾曲隔壁部、鍔壁部および上向きカッター部を有する蓋状壁部の、該庇状湾曲隔壁部ないし上向きカッター部の少なくとも一部に、可撓機構が設けられたもの、または、可撓機構が設けられた追加型カッターが装着されたものによれば、この発明の可搬型ロールホルダーを利用中に、不用意に上向きカッター部に強い力で接触してしまった場合にも、上向きカッター部が自動的に退避するから、利用者の安全性を格段に高めることができる上、蓋状壁部および追加型カッターの破損をより確実に防止することができるものになる。
【００１５】
また、蓋状壁部、または、追加型カッターが追加されたものの場合には追加型カッターの何れか一方の鍔壁部の天面形状が、左右方向概略Ｕ字形の水平樋状に湾曲され、手指挿入用凹部とされたものは、繰出し窓から繰り出した対象ロールペーパーの繰り出した中途適所部分（裁断目標箇所）を上向きカッター部に押し当てるように、繰り出し端部がわを引き下げるように操作して裁断すると、該繰出し窓から上向きカッター部に掛けて対象ロールペーパーの操り出し残端部が掛け渡し状に残ることとなり、次回使用する際には、
繰出し窓から上向きカッター部に掛けて掛け渡し状に残された対象ロールペーパーの操り出し残端部を、該手指挿入用凹部上に手指を挿入して、より簡単、確実に掴む事ができるものとなり、可搬型ロールホルダーの使い勝手を一段と高めたものとすることができる。
【００１６】
可塑性吊りハンドルが、人の手による入力によって容易に変形可能な可塑性金属線製の軸体に軟質合成樹脂製の皮膜層が被覆され、棒状の左右独立型とされたものの場合には、該軸体の先端に保護キャップが装着されてなるものとすることにより、可塑性吊りハンドルの構造を簡素化し、より軽量且つ経済的に製造可能とし、保護キャップが、軸体の端部が外部に露出するのを防止し、他物などへの接触の緩衝や引っ掛かりを防止し、より安全性に優れたものとすることができる。                                                                            
【発明を実施するための最良の形態】
【００１７】
上記したとおりの構成からなる、この発明の実施に際し、その最良もしくは望ましい形態について説明を加えることにする。
ホルダー本体は、この発明の可搬型ロールホルダーの本体となり、回転の軸心が水平方向に向けられた対象ロールペーパーの左右端に対峙可能な間隔を隔てて左右腕壁を対峙するよう保持可能とする機能を担い、該ホルダー本体の上壁に対して、対象ロールペーパーを保持したホルダー本体を吊り下げ保持可能な強度を有する可塑性吊りハンドルの基端が一体化されてなるものとしなければならず、左右腕壁が、対象ロールペーパーの引き出し口となる前壁を除く、天壁、背壁および底壁の少なくとも何れか一つを介して一体化されたものとすべきであり、該左右腕壁の背後がわ上端間に対して、先端にカッター部が設けられた蓋状壁部の基端が、該蓋状壁部の先端を上下揺動自在とする基端軸装部を介して軸着されたものとするのが良い。
【００１８】
左右腕壁は、ホルダー本体に対して対象ロールペーパーの回転の軸心を着脱および回転自在に支持可能とすると共に、同ホルダー本体に対して可塑性吊りハンドルを一体化可能とする機能を担うものであり、回転の軸心が水平方向に向けられた対象ロールペーパーの左右端に対峙可能な間隔を隔てて対峙するよう、互いに対峙する対峙側壁の中央付近間に、対象ロールペーパーの回転の軸心を着脱および回転自在に支持可能なロールペーパー用装着機構を有する回転支軸が設けられたものとし、上壁に対して、対象ロールペーパーを保持したホルダー本体を吊り下げ保持可能な強度を有する可塑性吊りハンドルの基端が一体化されてなるものとしなければならず、対象ロールペーパーの引き出し口となる前壁を除く、天壁、背壁および底壁の少なくとも何れか一つを介して一体化されたものとすべきであり、該左右腕壁の背後がわ上端間に対して、先端にカッター部が設けられた蓋状壁部の基端が、該蓋状壁部の先端を上下揺動自在とする基端軸装部を介して軸着されたものとするのが良い。
【００１９】
背壁は、回転の軸心が水平方向に向けられた対象ロールペーパーの左右端に対峙可能な間隔を隔てて対峙する左右腕壁を一体化し、ホルダー本体となるよう連結する機能を担っており、対象ロールペーパーを安全に保持可能とする充分な強度をもって左右腕壁を一体に連結可能なものとしなければならず、必要に応じて建築物の壁面などへの取付けネジ装着用となる複数の取付け孔が厚み方向に貫通するよう穿設されたものとすることが可能であり、壁板形状の外、連結棒や連結枠、連結柵などの様々な形状のものとすることが可能である。
【００２０】
回転支軸は、左右腕壁間に対して回転の軸心が水平方向に向けられた対象ロールペーパーを、回転自在且つ着脱自在に装着可能とする機能を担い、ロールペーパー用装着機構を有するものとしなければならず、例えば、左右腕壁の対峙側壁の中央付近に凹欠状の軸受け穴が設けられ、該左右一対の軸受け穴間に、水平軸心方向の中途部に弾性的に圧縮可能な圧縮バネが同心上に内蔵され、軸方向に向けて弾性的に延伸する伸縮軸が、左右間弾性突っ張り状、着脱自在に装着された回転支軸とされ、対象ロールペーパーの円筒空洞状の軸心に装着され、該対象ロールペーパーを、左右腕壁間に対して回転自在、着脱自在に装着可能なものとすることができる外、後述する実施例にも示すように、左右腕壁の互いに対峙する対峙側壁の中央付近に、先端を下向き方向に付勢する弾性付勢部が設けられるか、または、自重によって先端が下向きに付勢されるかの少なくとも何れか一方とするよう、基端が水平軸心回りに回動自在に軸着され、上方向の入力を受けて直立方向に姿勢変形自在とされたロールペーパー用装着機構を有し、且つ、先端が下向きに倒れないよう規制する水平規制部を有して水平姿勢に片持ち支持され左右で一対となる片支持軸が設けられたものとすることができる。
【００２１】
蓋状壁部は、ホルダー本体の左右腕壁間に、回転の軸心が水平方向に向けられた姿勢に回転自在に保持された対象ロールペーパーの上部を保護するよう覆い、対象ロールペーパーから繰り出した先端がわ操る出し部分の中途適所を、裁断可能なカッター部を所望位置に所望姿勢を維持するよう一体的に支持する機能を担うものであり、該左右腕壁の背後がわ上端間に対して、先端にカッター部が設けられた該蓋状壁部の基端が、同蓋状壁部の先端を上下揺動自在とする基端軸装部を介して軸着されたものとしなければならず、後述する実施例にも示しているとおり、蓋状壁部先端から庇状湾曲隔壁部を垂下し、該庇状湾曲隔壁部の下端縁から同左右幅のまま前方に屈曲され、鍔壁部を所定前後長分延伸された上、同鍔壁部先端縁から上方に向け同左右幅の立上壁部が立設され、該立上壁部の上端縁に、軟質合成樹脂製の鋸刃状の上向きカッター部を有すると共に、当該庇状湾曲隔壁部には、対象ロールペーパーの軸長に略相当する左右幅長の対象ロールペーパー用繰出し窓が開口されてなる物とするのが望ましく、また、蓋状壁部の天面に対し、該蓋状壁部の天面上に積層状に固着可能な接着層を介して着脱自在とされた追加型蓋状壁部を有し、該追加型蓋状壁部の先端から庇状湾曲隔壁部を垂下し、該庇状湾曲隔壁部の下端縁から同左右幅のまま前方に屈曲され、鍔壁部を所定前後長分延伸された上、同鍔壁部先端縁から上方に向け同左右幅の立上壁部が立設され、該立上壁部の上端縁に、軟質合成樹脂製の鋸刃状の上向きカッター部を有すると共に、当該庇状湾曲隔壁部には、対象ロールペーパーの軸長に略相当する左右幅長の対象ロールペーパー用繰出し窓が開口されてなる追加型カッターが、該追加型蓋状壁部の接着層を介して積層状に一体化されてなるものとすることが可能である。
【００２２】
追加型蓋状壁部の接着層は、ホルダー本体の蓋状壁部に対して追加型カッターを積層状に一体化可能とする機能を担うものであり、追加型カッターの追加型蓋状壁部の下面に片面を装着された両面粘着テープや、接着剤層に剥離紙を外装状に装着してなるものなどとするのが良く、また、追加型蓋状壁部の下面に対して後付け可能な、別部品として添付された両面粘着テープ部品や、チューブ入り接着剤などとすることが可能である。
【００２３】
そして、後述する実施例にも示してあるように、蓋状壁部は、同蓋状壁部先端から庇状湾曲隔壁部を垂下し、該庇状湾曲隔壁部の下端縁から同左右幅のまま前方に屈曲され、鍔壁部を所定前後長分延伸された上、同鍔壁部先端縁から上方に向け同左右幅の立上壁部が立設され、該立上壁部の上端縁に、軟質合成樹脂製の鋸刃状の上向きカッター部を有すると共に、当該庇状湾曲隔壁部ないし上向きカッター部の少なくとも一部に、上向きカッター部に、過大荷重が加わった場合に自動的に退避し、過大荷重が無くなると再び元の姿勢に復帰可能な可撓機構が設けられ、当該庇状湾曲隔壁部には、対象ロールペーパーの軸長に略相当する左右幅長の対象ロールペーパー用繰出し窓が開口されてなるものとすることができ、さらにまた、蓋状壁部の天面に対し、該蓋状壁部の天面上に積層状に固着可能な接着層を介して着脱自在とされた追加型蓋状壁部を有し、該追加型蓋状壁部の先端から庇状湾曲隔壁部を垂下し、該庇状湾曲隔壁部の下端縁から同左右幅のまま前方に屈曲され、鍔壁部を所定前後長分延伸された上、同鍔壁部先端縁から上方に向け同左右幅の立上壁部が立設され、該立上壁部の上端縁に、軟質合成樹脂製の鋸刃状の上向きカッター部を有すると共に、当該庇状湾曲隔壁部ないし上向きカッター部の少なくとも一部に、上向きカッター部に、過大荷重が加わった場合に自動的に退避し、過大荷重が無くなると再び元の姿勢に復帰可能な可撓機構が設けられ、当該庇状湾曲隔壁部には、対象ロールペーパーの軸長に略相当する左右幅長の対象ロールペーパー用繰出し窓が開口されてなる追加型カッターが、該追加型蓋状壁部の接着層を介して積層状に一体化されてなるものとすることができる。
【００２４】
加えて、後述する実施例にも示しているが、蓋状壁部、または、追加型カッターの何れか一方の、庇状湾曲隔壁部の下端縁と、上向きカッター部との間に設けられた鍔壁部の天面形状が、左右方向概略Ｕ字形の水平樋状に湾曲され、繰出し窓から上向きカッター部に掛けて残存される対象ロールペーパーの操り出し残端部の把持スペースの確保用となる手指挿入用凹部とされたものとしてなるものとするのが良い。
【００２５】
追加型カッターの庇状湾曲隔壁部は、蓋状壁部の天面上からそのまま前方に延伸し、蓋状壁部の先端を超えた辺りで下方に湾曲して下方所定位置、望ましくは対象ロールペーパー用の回転支軸（片支持軸）の高さ位置辺りまで垂れ下がり状となって蓋状壁部の天面上から前方にかけて庇状に覆い被さり、該回転支軸（片支持軸）に装着された対象ロールペーパーの残部端がわを隠す形状とされており、対象ロールペーパー残部端がわを上向きカッター部に臨ませるための繰出し窓が、該庇状湾曲隔壁部の湾曲部分よりやや下方位置、即ち、未使用の対象ロールペーパー断面円形の接線の中、上向きカッター部に及ぶこととなる接線を完全に含む位置に、横長形状のものとして形成、確保したものとしなければならず、例えば、トイレットペーパーを対象ロールペーパーとされたものの場合には、該繰出し窓の横巾寸法が、市販ロールペーパー巾（例えばＪＩＳ規格１１４ｍｍ±２）を安全に通せる巾のものとするのが良く、そして、縦寸法は、少なくともペーパー厚よりも大きければ良いとはいうものの、既設ロールホルダーに対し、最初に未使用の対象ロールペーパーをセットしてその端部を剥がし、当該繰出し窓から引き出す際の操作性を考慮して、できれば標準的な人の親指と人差し指とを重ねた外形寸法２ｃｍ前後のものとするのが望ましいと言え、さらに、後述する実施例にも示すように、蓋状壁部ないし上向きカッター部の左右幅を対象ロールペーパーの軸長より充分に大きく設定し、対象ロールペーパー用繰出し窓の左右幅を対象ロールペーパーの軸長と同じか、または僅かに長く設定されてなるものとするのが良いといえる。
【００２６】
そして、その繰出し窓に臨む該庇状湾曲隔壁部は、対象ロールペーパーの引き出し操作時の安全面からも、さらにはセット済対象ロールペーパーの残部端がわを引き出してゆき、上向きカッター部での切断操作に入るまでに引っ掛かり、破断してしまう不測の事態を回避するためにも、滑らかな加工を施したものとすべきであり、例えば、ロールペーパー用繰出し窓は、その開口上縁を水平状とし、同開口下縁を、左右端間中央で上下最大開口寸法とした概略円弧形状のものとしてなるものとすることができる
【００２７】
上向きカッター部は、繰出し窓を通して誘導、所望長に引き出した対象ロールペーパー繰り出し残端部がわを、望み通り円滑且つ確実に切り離す機能を担うもので、上記庇状湾曲隔壁部の垂れ下がり状となった下端縁前方所定位置に、当該庇状湾曲隔壁部下端縁に連続して一体的に形成し、そのままかやや狭めた巾で前方に略水平もしくはやや上向き水平状に屈曲して所定巾分延伸させた鍔壁部の先端縁から、上方に向けて屈曲され、立上壁部が立設され、その上端縁が上向きカッター部に形成されたものであり、該上向きカッター部の位置は、回転支軸（片支持軸）の高さ位置辺りと略同様の高さ位置かやや高めとなる位置に確保するようにすべきで、庇状湾曲隔壁部の垂れ下がり下端縁からその位置が決定されたものとするのが望ましい。
【００２８】
そして、上向きカッター部は、手で軽く触れても安全な程度の形状を呈するものであって、一般的な対象ロールペーパー用のカッター部と略同等の切断が可能なものとしなければならず、上向きカッター部が立上壁部の先端縁に一体化されたものとする外、別部品の刃物が装着されたものとすることもでき、それらは鋸刃型、直線状の刃型、曲面状の刃型など様々な形状のものとすることができ、充分な耐久性を確保できる素材製のもの、例えば金属製や合成樹脂製（例えば、シリコン樹脂製などの軟質合成樹脂製）などとすることができ、さらにまた、後述する実施例にも示してあるとおり、立上壁部の先端縁エッジ部分が上向きカッター部となるよう一体化成型、プレス成型または切削加工されるなどしてなるものとするのがよく、より具体的なものとして示すと、例えば、同繰出し窓が、その開口上縁を水平状とし、同開口下縁を、左右端間中央で上下最大開口寸法としたＶ字形状または円弧形状とすると共に、上向きカッター部のエッジ輪郭をＶ字形状または円弧形状のものとしてなるものとすることができる。
【００２９】
可撓機構は、上向きカッター部に、過大荷重が加わった場合に、同上向きカッター部を自動的に退避し、過大荷重が無くなると再び元の姿勢に復帰可能なものとする機能を担うものであり、セット済対象ロールペーパーの残部端がわを引き出し、上向きカッター部で切断操作可能とするに充分な強度をもって、同上向きカッター部を支持可能なものとし、且つ、それよりも過大な荷重や衝撃的な外力が加わった場合に、上向きカッター部を自動的に退避するよう動作するものとしなければならず、例えば、当該庇状湾曲隔壁部ないし上向きカッター部の少なくとも一箇所か、または、施蓋物と可撓刃物との間かの何れか一方に、バネやゴム、軟質合成樹脂などの各種弾性素材製や軟質素材製の可撓性部品類を介在させ、過大な荷重や衝撃的な外力が加わった場合に、上向きカッター部を自動的に退避するよう動作可能なものとすることができる外、後述する実施例にも示すように、庇状湾曲隔壁部の下端縁と、鍔壁部基端との間に、鍔壁部および上向きカッター部を複数の角度姿勢の中、適宜選択した何れか１つの角度姿勢に節度感をもって調節し、且つ過大な荷重が加わるまで選択調節角度姿勢のまま支持可能な姿勢チャンネル部を有してなるものとすることが可能であり、また、庇状湾曲隔壁部ないし上向きカッター部の少なくとも一箇所の左右端間にわたり連続する脆弱部を有するもの、より具体的には、庇状湾曲隔壁部ないし上向きカッター部の表面がわとなる少なくとも一箇所の左右端間にわたり、一直線状に連続する溝状薄肉脆弱部を有するもの、さらにまた、庇状湾曲隔壁部ないし上向きカッター部の裏面がわとなる少なくとも一箇所の左右端間にわたり、一直線状に連続する溝状薄肉脆弱部を有するもの、表現を変えて示すと、ロールペーパー用繰出し窓の左右外がわとなる庇状湾曲隔壁部を、応力集中脆弱部としたものなどとすることが可能である。
【００３０】
可塑性吊りハンドルは、この発明の可搬型ロールホルダーを運搬、移動および所望の吊り下げ対象に対して着脱自在に吊り下げ設置容易なものとする機能を担い、この発明の可搬型ロールホルダーの構成部品の中でも最も要となる部分であり、ホルダー本体の上壁に対して、対象ロールペーパーを保持したホルダー本体を吊り下げ保持可能な強度を有して一体化されたものとしなければならず、可塑性吊りハンドルの基端が、取付け金具類や、取付けバンド類などの装着用部品類を介して左右腕壁の各上壁に結合されたものとすることができる外、後述する実施例にも示すように、対象ロールペーパーが未装着の場合のホルダー本体の重心位置に対応する左右端、ないし、対象ロールペーパーが装着された場合のホルダー本体の重心位置に対応する左右端の前後間に対応する該左右腕壁の各上壁に、棒状の左右独立型、および、ループ状の左右一体型の何れか一方とされたものとすべきであり、人の手による入力によって容易に変形可能な可塑性金属線製の軸体に軟質合成樹脂製の皮膜層が被覆され、棒状の左右独立型とされたものの場合には、該軸体の先端に保護キャップが装着されてなるものとするのがよく、該保護キャップは、フックや吊り環、吸盤、永久磁石などの吊り下げ機能を有する部品に置き換えることが可能である。
【００３１】
また、可塑性吊りハンドルは、例えば、塑性変形可能な銅製棒に合成樹脂製被膜層が被着されてなるものとしたり、アルミニウム合金製の蛇腹パイプからなるものとしたり、複数個の球状駒および凹面状駒が交互に接合されて棒状に連結され、各駒の中央を縦貫するよう内蔵されたバネやゴム紐、索条類などによって軸方向の牽引力が与えられ、隣接する駒同士間の摩擦力によって姿勢維持可能となるようにされた塑性状可撓体からなるものとしたりすることが可能である。
【００３２】
対象ロールペーパーは、ロール状に巻き取られたシート状、フィルム状、テープ状、薄膜状、箔状、チューブ状、連続する多数枚の袋状物など従前からの各種製品であって、この発明の可搬型ロールホルダーに回転自在に装着して、その端部がわを所望する長さ分だけ引き出して引き千切るよう切断し、各種用途に利用可能なものとすることができ、より具体的には、例えば、キッチンペーパー、アルミ箔、ロールウェス、ロール状樹脂袋、ロール状粘着テープなど、ロール紙に限定せず、ロール状に巻き取られたシート類であるということが可能であって、後述する実施例にも示すように、代表的にはトイレットペーパーを対象として略所定の形状のものに形成する一方、当該可搬型ロールホルダーは、それらの対象ロールペーパー類の形状および寸法に応じ、当該対象ロールペーパー類を装着・利用可能とするようにしたものとしなければならない。
以下では、図面に示すこの発明を代表する実施例と共に、その構造について詳述することとする。                                                                                    
【図面の簡単な説明】
【００３３】
図面は、この発明の可搬型ロールホルダーの技術的思想を具現化した代表的な幾つかの実施例を示すものである。
【図１】可搬型ロールホルダーを示す斜視図である。
【図２】可搬型ロールホルダーを示す斜視図である。
【図３】可搬型ロールホルダーを示す側面図である。
【図４】可搬型ロールホルダーを示す正面図である。
【図５】上向きカッター部を持たない可搬型ロールホルダーを示す側面図である。
【図６】上向きカッター部を持たない可搬型ロールホルダーを示す正面図である。
【図７】追加型カッターの装着状態を示す側面図である。
【図８】追加型カッターの装着状態を示す正面図である。
【図９】可撓機構を有する追加型カッターを断面化して示す側面図である。
【図１０】可撓機構の動作を断面化して示す側面図である。
【図１１】棒状左右独立型の可塑性吊りハンドルを示す斜視図である。
【図１２】可搬型ロールホルダーの利用状態を示す斜視図である。
【図１３】建築物壁面に設置される従来型のロールホルダーを示す斜視図である。
【実施例１】
【００３４】
図１ないし図４に示す事例は、対象ロールペーパーＲの左右端に対峙可能な間隔を隔てて対峙する左右腕壁３，３が、背壁４を介して一体化されたホルダー本体２を有し、該左右腕壁３，３の互いに対峙する対峙側壁３０，３０の中央付近間に、対象ロールペーパーＲの回転の軸心を着脱および回転自在に支持可能なロールペーパー用装着機構６０を有する回転支軸６が設けられ、該ホルダー本体２の上壁に対して、対象ロールペーパーＲを保持したホルダー本体２を吊り下げ保持可能な強度を有する可塑性吊りハンドル８の基端が一体化されてなるものとした、この発明の可搬型ロールホルダーにおける代表的な一実施例を示すものである。
【００３５】
それら各図からも明確に把握できるとおり、この発明の可搬型ロールホルダー１は、回転の軸心が水平方向に向けられた対象ロールペーパーＲの左右端に対峙可能な間隔を隔てて対峙する左右腕壁３，３が、背壁４を介して一体化されたホルダー本体２を有し、該左右腕壁３，３の背後がわ上端間に対して、蓋状壁部５の基端が、該蓋状壁部５の先端を上下揺動自在とする基端軸装部５０を介して軸着されて、該蓋状壁部５は、同蓋状壁部５の先端から庇状湾曲隔壁部５２を垂下し、該庇状湾曲隔壁部５２の下端縁から同左右幅のまま前方に屈曲され、鍔壁部５３を所定前後長分延伸された上、同鍔壁部５３先端縁から上方に向け同左右幅の立上壁部５４が立設され、該立上壁部５４の上端縁に、軟質合成樹脂製の鋸刃状の上向きカッター部５５を有すると共に、当該庇状湾曲隔壁部５２には、対象ロールペーパーＲの軸長に略相当する左右幅長の対象ロールペーパーＲ用繰出し窓５６が開口されてなるものである。
該蓋状壁部５の庇状湾曲隔壁部５２の下端縁と、上向きカッター部５５との間に設けられた鍔壁部５３の天面形状が、左右方向概略Ｕ字形の水平樋状に湾曲され、繰出し窓５６から上向きカッター部５５に掛けて残存される対象ロールペーパーＲの操り出し残端部Ｒ０の把持スペースの確保用となる手指挿入用凹部５３とされたものとしてある。
【００３６】
回転支軸６は、左右腕壁３，３の互いに対峙する対峙側壁３０，３０の中央付近に、左右一対の片支持軸６，６が、それら先端同士を、装着位置に配された場合の対象ロールペーパーＲの中空円筒形軸内となる同一水平線上に対峙するよう、各片支持軸６，６の基端が設けられたものであって、ロールペーパー用装着機構６０は、各片支持軸６，６の先端を下向き方向に付勢する弾性付勢部（図示せず）が設けられると共に、各片支持軸６，６の基端が、対峙側壁３０，３０の中央付近に対し、各片支持軸６，６の先端の上方回動の水平軸心回りに回動自在に軸着され、上方向の入力を受けて直立方向に姿勢変形自在とされたものとしてある、さらに、各片支持軸６，６の下側基端部付近には、対峙側壁３０，３０に係合可能な突起状となり、各片支持軸６，６の先端が下向きに倒れないよう規制するものとされた水平規制部６１、６１が設けられ、各片支持軸６，６が、対峙側壁３０，３０に対して水平姿勢に片持ち支持されたものとなっている。
【００３７】
そして、図３に示すように、ホルダー本体２の左右腕壁３，３の上壁であって、対象ロールペーパーＲが未装着の場合のホルダー本体２の重心位置（同図３の背壁４寄りの破線矢印）に対応する左右端、ないし、対象ロールペーパーＲが装着された場合のホルダー本体２の重心位置（同図３の片支持軸６下の破線矢印））に対応する左右端の前後間（同図３の一点鎖線矢印に示す重心位置）に対応する位置には、銅線製や鉄線製の軸体８０に軟質樹脂製の皮膜層８１が被覆されてなる、門型（ループ状）の左右一体型とされ、右がわ基端から左がわ基端までの全長が、３０ｃｍないし４０ｃｍ、より具体的には約３６ｃｍに設定された可塑性吊りハンドル８の基端が夫々植設状に一体化されてなるものとなっている。
【００３８】
（実施例１の作用・効果）
以上のとおりの構成からなるこの発明の可搬型ロールホルダー１は、図４に示してあるように、片手で可塑性吊りハンドル８を把持してホルダー本体２を空中に吊り下げるよう保持し、回転の軸心が水平（左右）方向に向けられた姿勢となるよう、対象ロールペーパーＲを別の片手で把持し、ホルダー本体２の左右腕壁３，３間の下方から、同左右腕壁３，３間まで上方に向けて上昇させながら、同対象ロールペーパーＲの軸心上の外周壁が、左右一対の片支持軸６，６の各先端がわを押し退けるようにして、同対象ロールペーパーＲが装着される位置まで移動すると、該片支持軸６，６の各先端がわが、ロールペーパー用装着機構６０の左右各弾性付勢部（図示せず）の弾性復元力によって同対象ロールペーパーＲの円筒形空洞状の軸心内まで上昇され、左右の水平規制部６１，６１が、左右の片支持軸６，６を水平姿勢に支持するよう規制し、同対象ロールペーパーＲが、水平姿勢且つ回転自在に支持されることとなる。
【００３９】
そして、図１ないし図３に示すとおり、左右の片支持軸６，６に回転自在に保持された対象ロールペーパーＲから繰り出した端部Ｒ０は、同図３の二点矢印に示すように、蓋状壁部５の繰出し窓７６から、上向きカッター部５５上を超えて引き出し、使用する長さを引き出した上、切断目標箇所を、片手で該上向きカッター部５５上に一致させ、同図３中の実線矢印および図４に示すように、対象ロールペーパーＲの繰り出し端部Ｒ０がわの中途箇所を上向きカッター部５５の左端か右端かの何れか一方がわから、左右何れか反対がわまで次第に引き裂くよう引き降ろし操作して簡単に切断することができ、図３に示すように、この裁断のときに、庇状湾曲隔壁部５２が、対象ロールペーパーＲの上部外周壁を下向きに抑え込む力が発生、対象ロールペーパーＲが、勝手に回転して繰り出されてしまうのを確実に阻止するものとなり、対象ロールペーパーＲの裁断後は、同対象ロールペーパーＲの操り出し残端部Ｒ０は、繰出し窓７６から、上向きカッター部５５上まで残存することとなり、次回使用する場合には、該繰出し窓７６から、上向きカッター部５５上まで掛け渡されるように残存する操り出し残端部Ｒ０を把持して、繰り出しおよび裁断するよう操作することができるから、同対象ロールペーパーＲの装着、および、繰り出し裁断までの全てを片手で行うことができる。
また、上向きカッター部５５が、軟質合成樹脂製の鋸刃状のものとしてあるから、人や他物などが不用意に接触してしまった際にも、その柔軟性によって刃先が軟らかく変形して、被害の発生を未然に防止できる上、鋸刃状の形状としてあるから、軟質な素材であっても充分に対象ロールペーパーＲを裁断できる耐久性を有するものとなる。
【００４０】
加えて、図３に示すように、可塑性吊りハンドル８の対象ロールペーパーＲが未装着の場合のホルダー本体２の重心位置（同図３中の背壁４寄りの破線矢印）に対応する左右端、ないし、対象ロールペーパーＲが装着された場合のホルダー本体２の重心位置（同図３中の片支持軸６下の破線矢印）に対応する左右端の前後間（同図３中の一点鎖線矢印）に対応する該左右腕壁３，３の各上壁に、可塑性吊りハンドル８の各基端が夫々植設状に一体化されたものとしてあるから、該可塑性吊りハンドル８を利用した吊り下げ姿勢の安定性、および、対象ロールペーパーＲの繰り出し、裁断操作性を高めることができ、例えば、片手に該可塑性吊りハンドル８を把持して、当該可搬型ロールホルダー１を手提げ保持したまま、もう片方の別の手で該対象ロールペーパーＲを繰り出し、裁断操作することができるものとなり、さらに、図１２に示すように、医療用のベッド９の転落防止用のフェンス９０などの適所に該可塑性吊りハンドル８を巻き付け、簡便に吊り下げ設置して利用することが可能となる。                                                                          
【実施例２】
【００４１】
図５および図６に示される可搬型ロールホルダー１は、前記実施例１の図１ないし図４に示した可搬型ロールホルダー１の、可塑性吊りハンドル８は、そのままに、蓋状壁部５のみを従来型のものとされたものであり、こうした従来型の蓋状壁部５を有する可搬型ロールホルダー１は、図７および図８に示すように、追加型カッター７を既存の蓋状壁部５の天面上に、接着層７０を介して積層状に固着されたものとすることが可能であり、該追加型カッター７は、該蓋状壁部の天面上に積層状に固着可能な接着層７０を介して着脱自在とされた追加型蓋状壁部７１を有し、該追加型蓋状壁部７１の先端から庇状湾曲隔壁部７２を垂下し、該庇状湾曲隔壁部７２の下端縁から同左右幅のまま前方に屈曲され、鍔壁部７３を所定前後長分延伸された上、同鍔壁部７３先端縁から上方に向け同左右幅の立上壁部７４が立設され、該立上壁部７４の上端縁に、軟質合成樹脂製の鋸刃状の上向きカッター部７５を有すると共に、当該庇状湾曲隔壁部７２には、対象ロールペーパーＲの軸長に略相当する左右幅長の対象ロールペーパーＲ用繰出し窓７６が開口されており、該鍔壁部７３の天面形状が、左右方向概略Ｕ字形の水平樋状に湾曲され、該繰出し窓７６から該上向きカッター部７５に掛けて残存される対象ロールペーパーＲの操り出し残端部Ｒ０の把持スペースの確保用となる手指挿入用凹部７３とされたものとしてある。
【００４２】
図９および図１０に示すように、追加型カッター７は、庇状湾曲隔壁部７２ないし上向きカッター部７５に、上向きカッター部７５に、過大荷重が加わった場合に自動的に退避し、過大荷重が無くなると再び元の姿勢に復帰可能な可撓機構７７が設けられたものとすることが可能であり、前記実施例１の図１ないし図４に示した、ホルダー本体２に始めから一体に設けられた蓋状壁部５の、庇状湾曲隔壁部５２ないし上向きカッター部５５にも、同様の可撓機構７７が設けられたものとすることができ、該可撓機構７７は、例えば、庇状湾曲隔壁部７２左右端に設けられた補強リブ間に、鍔壁部７３ないし上向きカッター部７５の退避部一体化部品（７３，７４，７５）の基部が、上向きカッター部７５を上下回動自在とするよう軸着され、該左右補強リブの対峙壁には、内向きの係合突起７８，７８が突設され、該退避部一体化部品（７３，７４，７５）が、各係合突起７８，７８を弾性的に乗り越え、上方に回動されると、図９に示されるように、上向きカッター部７５が使用状態の姿勢に維持され、対象ロールペーパーＲを裁断するに充分な強度をもって支持するものとなり、図１０の実線矢印のように、上向きカッター部７５に下向きの過大荷重が加わった場合には、該退避部一体化部品（７３，７４，７５）が、各係合突起７８，７８を弾性的に乗り越えて、上向きカッター部７５が下向き姿勢に変化可能なものとなっている。
【００４３】
（実施例２の作用・効果）
この発明の可搬型ロールホルダー１は、図５および図６のとおり、従来型のホルダー本体２に対し、前述の実施例１の図１ないし図４にも示してあるように、重量バランスを考慮した位置に可塑性吊りハンドル８が設けられたものとされていることから、前述の実施例１の可搬型ロールホルダー１と同様に、バランス良く持ち運びできる上、適所に吊り下げて円滑に利用することができるものとなり、さらに、図７および図８の白抜き矢印に示すように、ホルダー本体２に設けられた従来型の蓋状壁部５の天面上に、接着層７０を介して追加型カッター７が積層状に一体化されたものとすることにより、片手のみによる対象ロールペーパーＲの繰り出しおよび裁断操作を簡便且つ確実に行うことができるものとなる。
【００４４】
加えて、図９および図１０に示すように、撓機構７７を有した蓋状壁部５や追加型カッター７は、何れも、上向きカッター部５５（，７５）に対象ロールペーパーＲの裁断よりも過大な下向きの荷重が加わったときに、退避部一体化部品（７３，７４，７５）が自動的に下向きに退避するから、不用意な接触による人や他物への被害を未然に防止することができると共に、簡単に元の形状に復帰させて、再度、利用を開始することができるといる。                                                                                            
【実施例３】
【００４５】
図１１に示す事例は、前記実施例１の図１ないし図４に示した可搬型ロールホルダー１の可塑性吊りハンドル８を、棒状の左右独立型の可塑性吊りハンドル８，８に置き換えられたものであり、可塑性吊りハンドル８，８は、可塑性および可撓性を有する銅線、鉄線などの金属線からなり、基端から先端まで２０ｃｍないし３０ｃｍ、より具体的には、約２５ｃｍの長さに設定された軸体８０に対して、軟質合成樹脂製の皮膜層８１が被覆されると共に、該軸体８０の先端には、合成樹脂製の球形保護キャップ８２が装着されたものとしてある。
【００４６】
（実施例３の作用・効果）
この発明の可搬型ロールホルダー１は、図１１に示すように、棒状の左右独立型の可塑性吊りハンドル８，８を有するから、同図１１のように、左右の可塑性吊りハンドル８，８の先端がわを束ねるように折り曲げると、概略門型のハンドルとすることができる上、左右夫々の可塑性吊りハンドル８，８を、夫々別の家具などに跨ぐように吊り下げたり、夫々をフック状に折り曲げて引っ掛けて吊り下げたりすることができ、設置自由度をより一層高めたものとすることができ、また、各可塑性吊りハンドル８，８先端の保護キャップ８２，８２が、左右の可塑性吊りハンドル８，８の先端から、内部の軸体８０が露出するのを防止して、劣化や破損を防止できると共に、人や他物に接触した際にも、衝撃を緩衝し、格段に安全性を高めたものとすることができる。
【００４７】
（結  び）
叙述の如く、この発明の可搬型ロールホルダーは、その新規な構成によって所期の目的を遍く達成可能とするものであり、しかも製造も容易で、従前からの搬送可能なロールペーパー用ホルダーに必要とされていた、設置用のテーブルや、吊り金具および吊り紐などを一切不要とすることができ、可塑性吊りハンドルを設けたから、自立型のものに比較して構造を大幅に簡素化し、それに伴い格段に軽量化して遙かに経済的なものとすることができる上、運搬および設置を一層、簡便に行えるものとなり、従前までは、必要箇所の夫々に個別に設置したり、ロールホルダーを苦労して持ち運び、設置しなければならなかったが、こうした煩わしさや、経済的負担などを解消するものとなり、各種ロールペーパー類の製造業界およびロールホルダーの製造業界はもとより、各種ロールペーパーやロールホルダーなどを販売するホームセンター業界やスパーマーケット業界およびドラッグストア業界などにおいても高く評価され、広範に渡って利用、普及していくものになると予想される。                                                                                                            
【符号の説明】
【００４８】
１      可搬型ロールホルダー
２      ホルダー本体
３      左右腕壁
３０    同  対峙側壁
４      背壁
５      蓋状壁部
５０    同  基端軸装部
５１    同  カッター部
５２    同  庇状湾曲隔壁部
５３    同  鍔壁部（手指挿入用凹部）
５４    同  立上壁部
５５    同  上向きカッター部
５６    同  繰出し窓
６      片支持軸
６０    同  ロールペーパー用装着機構
６１    同  水平規制部
７      追加型カッター
７０    同  接着層
７１    同  追加型蓋状壁部
７２    同  庇状湾曲隔壁部
７３    同  鍔壁部（手指挿入用凹部）
７４    同  立上壁部
７５    同  上向きカッター部
７６    同  繰出し窓
７７    同  可撓機構
７８    同  係合突起
８      可塑性吊りハンドル
８０    同  軸体
８１    同  皮膜層
８２    同  保護キャップ
９      ベッド
９０    同  転落防止のフェンス
Ｒ      対象ロールペーパー
Ｒ０    同  引き出した部分（操り出し残端部）
Ａ      ホルダー本体
Ａ０    同  背壁
Ａ１    同  左右腕壁
Ａ２    同  装着軸
Ｂ      上蓋
Ｂ０    同  基端
Ｂ１    同  遊端縁
Ｂ２    同  カッター部
【手続補正書】
【提出日】平成30年11月30日(2018.11.30)
【手続補正１】
【補正対象書類名】特許請求の範囲
【補正対象項目名】全文
【補正方法】変更
【補正の内容】
【特許請求の範囲】
【請求項１】
回転の軸心が水平方向に向けられた対象ロールペーパーの左右端に対峙可能な間隔を隔てて対峙する左右腕壁が、対象ロールペーパーの引き出し口となる前壁を除く、天壁、背壁および底壁の少なくとも何れか一つを介して一体化されたホルダー本体を有し、該左右腕壁の背後がわ上端間に対し、先端にカッター部が設けられた蓋状壁部の基端が、該蓋状壁部の先端を上下揺動自在とする基端軸装部を介して軸着され、該蓋状壁部が、同蓋状壁部の天面に対し、該蓋状壁部の天面上に積層状に固着可能な接着層を介して着脱自在とされた追加型蓋状壁部を有し、該追加型蓋状壁部の先端から庇状湾曲隔壁部を垂下し、該庇状湾曲隔壁部の下端縁から同左右幅のまま前方に屈曲され、鍔壁部を所定前後長分延伸された上、同鍔壁部先端縁から上方に向け同左右幅の立上壁部が立設され、該立上壁部の上端縁に、軟質合成樹脂製の鋸刃状の上向きカッター部を有すると共に、当該庇状湾曲隔壁部ないし上向きカッター部の少なくとも一部に、上向きカッター部に過大荷重が加わった場合に自動的に退避し、過大荷重が無くなると再び元の姿勢に復帰可能な可撓機構が設けられ、当該庇状湾曲隔壁部には、対象ロールペーパーの軸長に略相当する左右幅長の対象ロールペーパー用繰出し窓が開口されてなる追加型カッターが、該追加型蓋状壁部の接着層を介して積層状に一体化され、該左右腕壁の互いに対峙する対峙側壁の中央付近に、先端を下向き方向に付勢する弾性付勢部が設けられるか、または、自重によって先端が下向きに付勢されるかの少なくとも何れか一方とするよう、基端が水平軸心回りに回動自在に軸着され、上方向の入力を受けて直立方向に姿勢変形自在とされたロールペーパー用装着機構を有し、且つ、先端が下向きに倒れないよう規制する水平規制部を有して水平姿勢に片持ち支持され左右で一対となる片支持軸が設けられ、対象ロールペーパーが未装着の場合のホルダー本体の重心位置に対応する左右端、ないし、対象ロールペーパーが装着された場合のホルダー本体の重心位置に対応する左右端の前後間に対応する該左右腕壁の各上壁に、棒状の左右独立型で、人手によって容易に変形可能な可塑性および可撓性を有する銅線、鉄線、アルミニウム合金などの金属線製の軸体に軟質合成樹脂製の皮膜層が被覆され、該軸体の先端に保護キャップが装着されてなり、夫々の先端がわを折り曲げ、引っ掛け吊り下げなど変形自在で、且つ他物などへの接触の緩衝や引っ掛かりを防止するよう安全性が確保され、ベッドサイドへの取付けなど設置自由度を高めてなるものとした可塑性吊りハンドルの基端が、夫々植設状に一体化されてなるものとしたことを特徴とする可搬型ロールホルダー。